(57)【要約】  無線基地局は、無線端末装置に対して、一定周期で、共有チャネルを割り当てるスケジューラと、無線端末装置が異周波数測定を行う期間を検出する検出手段とを有する。スケジューラは、無線端末装置が異周波数測定を行う期間と重複しないように、無線端末装置に対して無線リソースを割り当てる。
2009113150.tif 000002
【特許請求の範囲】
【請求項１】
無線端末装置に対して、一定周期で、共有チャネルを割り当てるスケジューラと、
前記無線端末装置が異周波数測定を行う期間を検出する検出手段と
を有し、
前記スケジューラは、前記無線端末装置が異周波数測定を行う期間と重複しないように、前記無線端末装置に対して無線リソースを割り当てる無線基地局。
【請求項２】
請求項１に記載の無線基地局において、
前記スケジューラは、前記無線端末装置が異周波数測定を行う期間と、無線リソースを割り当てる周期とが重複する場合、該無線リソースを割り当てない無線基地局。
【請求項３】
請求項１に記載の無線基地局において、
前記無線端末装置は、前記異周波数測定を行う期間以外の期間において、無線リソースの割り当てを要求する割り当て要求を送信し、
前記スケジューラは、前記無線端末装置により送信された割り当て要求に基づいて、前記無線端末装置に対して無線リソースを割り当てる無線基地局。
【請求項４】
請求項１に記載の無線基地局において、
無線リソースを割り当てる周期以外の周期において、前記無線端末装置に対して、異周波数測定を行うことを要求する異周波数測定要求を行う異周波数測定要求手段
を有する無線基地局。
【請求項５】
請求項２に記載の無線基地局において、
前記スケジューラは、前記無線リソースを割り当てない周期において送信する予定であったデータを、前記無線リソースを割り当てない周期の次の周期で送信するように無線リソースを割り当てる無線基地局。
【請求項６】
請求項１に記載の無線基地局において、
前記スケジューラは、前記無線端末装置が異周波数測定を行う期間と、無線リソースを割り当てる周期とが重複する場合、前記無線リソースを割り当てる周期を変更する無線基地局。
【請求項７】
請求項１に記載の無線基地局において、
前記スケジューラは、前記無線端末装置が異周波数測定を行う期間と、無線リソースを割り当てる周期とが重複する場合、前記異周波数測定を行う期間と重複する無線リソースを割り当てる周期の前の周期及び／又は後の周期における無線リソースを割り当てるタイミングを変更する無線基地局。
【請求項８】
請求項１に記載の無線基地局において、
下りリンクのデータの再送制御を行う下りリンク再送制御手段
を有し、
前記下りリンク再送制御手段は、再送の回数を、前記異周波数測定を実施する期間を確保できる回数に制限する無線基地局。
【請求項９】
無線回線品質又は送信データ量に基づいて、無線端末装置を選択する選択手段と、
前記無線端末装置が異周波数測定を行う期間を設定する設定手段と、
該選択された無線端末装置に対して、一定周期で、共有チャネルを割り当てるスケジューラと、
下りリンクのデータの再送制御を行い、再送回数を制限する下りリンク再送制御手段と
を有し、
異周波数測定期間において、該下りリンク再送制御手段によって設定された再送回数の制限値とは異なる再送回数の制限値を設定する無線基地局。
【請求項１０】
請求項８に記載の無線基地局において、
送信データの符号化処理を行う符号化処理手段
を有し、
前記符号化処理手段は、前記異周波数測定が実施される場合、初回送信データに対する符号化率を変更する無線基地局。
【請求項１１】
請求項１に記載の無線基地局において、
下りリンクのデータの再送制御を行う下りリンク再送制御手段
を有し、
前記無線端末装置は、再送の回数が、前記異周波数測定を実施する期間を確保できる回数以上となった場合に、異周波数測定を中止する無線基地局。
【請求項１２】
請求項１に記載の無線基地局において、
下りリンクのデータの再送制御を行う下りリンク再送制御手段
前記再送回数の割合が、再送が発生する可能性が高いと判断される割合以上となった場合に、異周波数測定の中止を要求する異周波数測定制御手段
を有する無線基地局。
【請求項１３】
請求項１に記載の無線基地局において、
上りリンクのデータに対する送達確認情報を生成する送達確認情報生成手段と、
前記送達確認情報生成手段により生成された送達確認情報を、前記上りリンクのデータを送信した無線端末装置に送信する送達確認情報送信手段と
を有し、
送達確認情報送信手段は、前記無線端末装置が異周波数測定を実施している場合には、前記上りリンクのデータに対する送達確認情報を送信しない無線基地局。
【請求項１４】
請求項１に記載の無線基地局において、
前記スケジューラは、前記無線端末装置が異周波数測定を実施できるように、上りリンクのデータの送信タイミングと、下りリンクのデータ送信タイミングとを決定する無線基地局。
【請求項１５】
請求項１４に記載の無線基地局において、
前記スケジューラは、上りリンクのデータの送信タイミングと、下りリンクのデータ送信タイミングと同期させるようにスケジューリングを行う無線基地局。
【請求項１６】
請求項１に記載の無線基地局において、
前記スケジューラは、前記無線端末装置が異周波数測定を実施している期間は、不定期に無線リソースを割り当てる無線基地局。
【請求項１７】
請求項１に記載の無線基地局において、
上りリンクの信号に基づいて、上りリンクの回線品質を測定する回線品質測定手段と、
前記上りリンクの回線品質を保持する上りリンク回線品質保持手段
を有し、
前記スケジューラは、前記無線端末装置における異周波数測定が終了した後の無線リソースを割り当てにおいて、前記上りリンク回線品質保持手段に保持された上りリンクの回線を使用する無線基地局。
【請求項１８】
請求項１に記載の無線基地局において、
前記無線端末装置により通知された下りリンクの回線品質を保持する下りリンク回線品質保持手段
を有し、
前記スケジューラは、前記無線端末装置における異周波数測定が終了した後の無線リソースを割り当てにおいて、前記下りリンク回線品質保持手段に保持された上りリンクの回線品質を使用する無線基地局。
【請求項１９】
異周波数測定を要求する異周波数測定要求手段と、
前記異周波数測定の要求に対する応答に従って、異周波数測定を行う異周波数測定制御手段と
を有し、
無線基地局は、異周波数測定を行う期間と重複しないように、無線リソースを割り当てる無線端末装置。
【請求項２０】
請求項１９に記載の無線端末装置において、
前記異周波数測定制御手段は、前記異周波数測定を行う期間と、無線リソースを割り当てる周期とが重複する場合、前記異周波数測定を行わない無線端末装置。
【請求項２１】
請求項１９に記載の無線端末装置において、
前記異周波数測定を行う期間以外の期間において、無線リソースの割り当てを要求する割り当て要求手段
を有する無線端末装置。
【請求項２２】
請求項１９に記載の無線端末装置において、
上りリンクのデータの再送制御を行う上りリンク再送制御手段
を有し、
前記上りリンク再送制御手段は、再送の回数を、前記異周波数測定を実施する期間を確保できる回数に制限する無線端末装置。
【請求項２３】
請求項１９に記載の無線端末装置において、
送信データの符号化処理を行う符号化処理手段
を有し、
前記符号化処理手段は、前記異周波数測定が実施される場合、初回送信データに対する符号化率を変更する無線端末装置。
【請求項２４】
請求項１９に記載の無線端末装置において、
上りリンクのデータの再送制御を行う上りリンク再送制御手段
を有し、
前記無線端末装置は、再送の回数が、前記異周波数測定を実施する期間を確保できる回数以上となった場合に、異周波数測定を中止する無線端末装置。
【請求項２５】
請求項１９に記載の無線端末装置において、
上りリンクのデータの再送制御を行う上りリンク再送制御手段
前記再送回数の割合が、再送が発生する可能性が高いと判断される割合以上となった場合に、異周波数測定の中止を要求する異周波数測定制御手段
を有する無線端末装置。
【請求項２６】
請求項１９に記載の無線端末装置において、
下りリンクのデータに対する送達確認情報を生成する送達確認情報生成手段と、
前記送達確認情報生成手段により生成された送達確認情報を、前記下りリンクのデータを送信した無線基地局に送信する送達確認情報送信手段と
を有し、
送達確認情報送信手段は、異周波数測定を実施している場合には、前記下りリンクのデータに対する送達確認情報を送信しない無線端末装置。
【請求項２７】
請求項１９に記載の無線端末装置において、
下りリンクの信号から制御信号を検出する制御信号検出手段
を有し、
前記制御信号検出手段は、異周波数測定を実施している場合には、制御信号の検出を行わない無線端末装置。
【請求項２８】
請求項２７に記載の無線端末装置において、
前記制御信号には、パイロット信号が含まれる無線端末装置。
【請求項２９】
請求項１９に記載の無線端末装置において、
下りリンクの信号に基づいて、下りリンクの回線品質を測定する回線品質測定手段
を有し、
前記回線品質測定手段は、異周波数測定を実施している場合には、下りリンクの回線品質の測定を行わない無線端末装置。
【請求項３０】
請求項１９に記載の無線端末装置において、
異周波数測定を行うための受信手段
を有する無線端末装置。
【請求項３１】
無線基地局は、無線回線品質に基づいて、通信を実施する無線端末装置を選択し、
前記無線基地局は、該選択された無線端末装置に対して、一定周期で、共有チャネルを割り当て、
前記無線基地局が、前記無線端末装置が異周波数測定を行う期間を検出し、
前記無線基地局が、前記無線端末装置が異周波数測定を行う期間と重複しないように、前記無線端末装置に対して無線リソースを割り当てる方法。
【請求項３２】
請求項３１に記載の方法において、
前記無線端末装置が、異周波数測定を要求し、
前記無線端末装置が、前記異周波数測定の要求に対する応答に従って、異周波数測定を行う方法。
【請求項３３】
無線基地局と無線端末装置で構成される無線通信システムにおいて、
無線端末装置は、異周波数測定を要求する異周波数測定要求手段と、
異周波数測定手段と
を有し、
無線基地局は、前記無線端末装置からの異周波数測定要求を受信する受信手段と、
前記無線端末装置が異周波数測定を行う期間と重複しないように、前記無線端末装置に対して無線リソースを割り当てるスケジューラと、
該異周波数測定期間を前記無線端末装置に通知する異周波数測定期間通知手段と
を有し、
前記無線端末装置は、該異周波数測定期間に従い異周波数測定を行うことを特徴とする無線通信システム。
【請求項３４】
無線回線品質または送信データ量に基づいて、無線端末装置を選択する無線通信システムにおいて、
無線端末装置において異周波数測定を行う期間を検出する検出手段と、
無線基地局に対して異周波数測定実施を通知する通知手段と
を備え、
該無線基地局において該選択された無線端末装置に対して、一定周期で共有チャネルを割り当てるスケジューラ
を備え、
該異周波数測定通知を受信した場合、前記スケジューラは、前記無線端末装置が異周波数測定を行う期間と重複しないように、該無線端末装置に対して無線リソースを割り当て、該無線端末装置に通知する無線通信システム。
【請求項３５】
無線回線品質または送信データ量に基づいて、無線端末装置を選択する無線通信システムにおいて、
無線基地局と通信中の無線端末装置が異周波数測定を行う期間を検出する検出手段と、
前記無線端末装置に対して、一定周期で共有チャネルを割り当てるスケジューラと
を備え、
該異周波数測定通知を受信した場合、前記スケジューラは、前記無線端末装置が異周波数測定を行う期間と重複しないように、該無線端末装置に対して無線リソースを割り当て、無線端末装置に通知する通知手段
を有し、
通知を受けた無線端末装置は、異周波数測定を実施することを特徴とする無線通信システム。
【発明の詳細な説明】
【技術分野】
【０００１】
本発明は、無線通信システムに関し、特に無線基地局及び無線端末装置並びに方法に関する。
【背景技術】
【０００２】
ハンドオーバが行われる前に実施される受信電界強度の測定について説明する。【０００３】
現在サービスの提供が行われている無線通信システムには、W-CDMA(Wideband  CDMA(Code  Division  Multiple  Access)システムやPDC(Personal  Digital  Cellular)システムなどが含まれる。これらのシステムにおいて、ある無線基地局(BS:  Base  Station)に接続中の無線端末装置(MS:  Mobile  Station)は、移動などに伴って他の無線基地局へのハンドオーバ(以後、HO(Handover)と呼ぶ)の必要性を確認する。例えば、無線端末装置は、現在通信中の在圏する無線基地局からの受信電界強度と、在圏するセルに隣接するセルの内、同じ周波数を使用する隣接セルをカバーする無線基地局(以後、隣接セルと呼ぶ)からの受信電界強度や異なる周波数を使用する隣接セルをカバーする無線基地局(以後、異周波数セルと呼ぶ)からの受信電界強度の測定を実施している。このとき、無線端末装置は、現在接続中の無線基地局(以後、自セルと呼ぶ)からの受信電界強度と、隣接セル又は異周波数セルからの受信電界強度とを比較し、後者、すなわち隣接セル又は異周波数セルからの受信電界強度が大きい場合にHOが必要と判断し、HOを実施する。【０００４】
異周波数ハンドオーバについて説明する。【０００５】
異周波数ハンドオーバとは、前述のように現在使用中の周波数f1とは異なる周波数f2を使用する隣接セルへハンドオーバを実施することである。例えば、図１に示すように、周波数ｆ1を使用して無線基地局BS1と通信を行っている無線端末装置UE1は、異周波数ハンドオーバを行う。そして、周波数f2を使用して無線基地局BS2と通信を行う。【０００６】
一般的に異周波数ハンドオーバを実施する場合、使用中の周波数f1の無線回線品質、例えば受信電界強度等が劣化している場合が考えられる。具体的には、該無線端末装置は、在圏セルにおいてセル端に位置している場合が多い。そして、在圏セルに隣接する隣接セルでは、在圏セルにおいて使用されている周波数f1とは異なる周波数f2が使用されている。この場合、無線端末装置は、隣接セルの無線回線品質、例えば、受信電界強度等を測定する。そして、無線端末装置は、該測定された隣接セルの無線回線品質と、周波数f1の無線回線品質とを比較する。無線端末装置は、f2の無線回線品質がよい場合、使用周波数をf2に変更する。これは異周波数ハンドオーバと呼ばれている。【０００７】
現在サービスの提供が行われている無線通信システム毎の異周波数測定について説明する。【０００８】
W-CDMAシステムにおける異周波数測定について説明する。【０００９】
3GPPにおいて検討され、仕様化されたW-CDMAシステムは、現在日本においてもサービスが提供されている。日本では通信事業者に対して、例えば2GHz帯域の20MHzの帯域幅が割り当てられている。実際には、20MHzの帯域幅が複数に分割され、該分割された帯域により通信が行われる。具体的には、20MHzの帯域幅を4つに分割し、帯域幅5MHzを用いて通信が行われる。この場合、4つの周波数を用いてサービスが実施されている。【００１０】
更に、W-CDMAシステムでは、複数の周波数帯域の使用が可能である。例えば、2GHz帯と800MHz帯の２つの帯域を利用することが可能となっている。従って、使用周波数帯域を含めて考えると更に多くの周波数を利用できることとなる。このように複数の周波数が利用可能であることから、ある無線端末装置が現在使用中の周波数f1から別な周波数f2へと移動することが可能である。【００１１】
また、W-CDMAシステムでは、通話開始から終わりまで連続的に使用する無線チャネルに、無線基地局からの指示により、未使用期間(以後、ギャップ（Gap）と呼ぶ)を設ける。この無線チャネルには、個別無線チャネル(DPCH:  Dedicated  physical  channel)が含まれる。以後、通話開始から終わりまで連続的に無線チャネルが使用されることを貼り切りと呼ぶ。【００１２】
このギャップにおいて、異なる周波数に対して無線端末装置の受信周波数を設定する。また、このギャップにおいて、同期を実施する。続いて、異なる周波数を使用した無線基地局から無線チャネルを用いて送信されたパイロット信号を、無線端末装置において受信する。この無線チャネルには、PICH(Pilot  Indicator  CHannel)が含まれる。無線端末装置は、そのパイロット信号の受信電界強度を算出する。なお、キャップの前後では拡散率を変更することもできる。これは、Gap期間で通信するはずであったデータを送信するためのものである。【００１３】
HSDPA(High  Speed  Downlink  Packet  Access)システムにおける異周波数測定について説明する。【００１４】
同様に、3GPPにて検討、仕様化されたHSDPAシステムでは、W-CDMAシステムと同様に貼り切りの個別無線チャネル(DPCH)を使用する。また、下り共有無線チャネルを使用する。この下り共有無線チャネルには、HS-PDSCH(High  Speed  -  Physical  Downlink  Shared  CHannel)が含まれる。【００１５】
このHS-PDSCHにおけるチャネルの共有方法は、無線端末装置において無線基地局から送信されたパイロット信号を受信する。そして、無線端末装置は、無線回線品質を算出する。そして、無線端末装置は、無線基地局に無線回線品質指標を返信する。この無線回線品質指標には、CQI(Channel  Quality  Indicator)が含まれる。無線基地局は、各無線端末装置から返信された無線回線品質指標に基づいて、ある時間においてHS-PDSCHを用いて送信する無線端末装置を選択する。無線端末装置の選択の方法としては、最も無線回線品質指標の高いもの（よいもの）を選択する。例えば、無線端末装置の選択方法として、MAX  CIR法などが含まれる。なお、無線端末装置の選択は、割り当てると呼ばれてもよい。更に、無線基地局からの送信に際して、送信するデータ長や使用する変調方式や符号化率及び新規送信か再送かの指標などを選択する。これをスケジューリングと呼ぶ。また、スケジューリングを実施する機能をスケジューラと呼ぶ。スケジューリングでは、時間毎に選択される無線端末装置が異なってもよい。言い換えると、ある無線端末装置に対して固定的に割り当てが実施されるものではない。【００１６】
HSDPAシステムでは、W-CDMAシステムと同様に、個別無線チャネルにギャップ(Gap)が設けられる。このギャップにおいて、異周波数測定が実施される。ギャップ期間とHS-DSCHの割り当てが重なった場合は、無線端末装置においてHS-DSCHの受信を行わない。なお、選択された送信データ長や使用変調方式などの送信パラメータは、データ伝送に先立って、無線基地局から無線端末装置へ伝送される。例えば、データ伝送は、HS-DSCH(High  Speed  -  Downlink  Shared  CHannel)を用いて行われる。また、例えば、無線基地局は、共有制御チャネル(HS-SCCH:  High  Speed  -  Shared  Control  CHannel)を用いて、無線端末装置へ伝送する。【００１７】
TDMA(Time  Division  multiple  access)システムにおける異周波数測定について説明する。【００１８】
日本でサービスの提供がされているPDCシステムやPHSシステムでは、TDMAが使用されている。ここでは、一例として、PDCシステムを用いて説明を行う。PHSシステムでは、TDMA/FDD(frequency  division  duplexing)が採用されている。TDMA/FDDでは、上りリンクと下りリンクの周波数は異なるものが使用される。【００１９】
TDMAシステムでは、図２−図４に示されるように、ハンドオーバの前後を除いて、割り当てられたスロットを、通話開始から終わりまで使用する。すなわち、ある無線端末装置は、通話開始から終わりまでスロットを占有する。図２には、無線通信システムの一例が示される。図３には、TDMAシステムにおける無線リソースの割り当ての一例として、周期的（スタティック）な割り当てが示される。図４には、TDMAシステムにおける無線リソースの割り当ての一例として、分割された時間軸及び周波数軸を含む無線リソースの割り当てが示される。【００２０】
また、TDMAシステムでは、W-CDMAシステムと同様に、帯域幅や周波数数は異なるが複数の周波数を用いてサービスが実施される。【００２１】
PDCシステムにおける異周波数測定では、ある無線端末装置が受信しないスロットで、かつ送信しないスロットが使用される。該スロットにおいて、無線端末装置は、現在使用している周波数f1から別な周波数f2へと、周波数設定を変更し、同期を取る。そして、無線端末装置は、周波数f2において、受信電界強度を測定する。【００２２】
LTEシステムにおける異周波数測定について説明する。【００２３】
現在3GPPにおいて検討されている次世代通信システムであるLTE(Long  Term  Evolution)システムでは、個別チャネルは使用されない。この点がW-CDMAシステムとは異なる。また、LTEシステムでは、HSDPAシステムと同様に、上りリンク及び下りリンクに対して共有無線チャネルを使用する。よって、LTEシステムは、W-CDMAシステムにように、ギャップを設定し、異周波数測定を実施することはできない。【００２４】
スケジューリングについて説明する。【００２５】
HSDPAシステムでは、複数の無線共有チャネル(HS-DSCH)を、複数の無線端末装置に対して共有して使用される。以下、その共有方法の一例を示す。【００２６】
無線基地局は、無線端末装置に対して下り共通パイロット信号を送信する。下り共通パイロット信号は、例えば、共通パイロットチャネル(CPICH(common  pilot  Channel))で送信される。無線端末装置は、共通パイロット信号を受信することで無線回線品質（例えば受信電力）を測定する。そして、無線端末装置は、無線回線品質指標(CQI)を算出する。無線端末装置は、算出した無線回線品質指標を無線基地局へ返信する。無線基地局は、各無線端末装置から報告された無線回線品質指標に基づいて、最も無線回線品質の良好な無線端末装置を選択する。そして、無線基地局は、図５に示すように、下りリンクのデータの送信を行う。下りリンクのデータの送信に際して、無線基地局は、HS-DSCH本数、送信データ長、変調方式、符号化方式等を選択する。【００２７】
無線基地局が無線端末装置の選択をすること、また、選択した無線端末装置に対する送信方法の選択をすることは、スケジューリングと呼ばれる。すなわち、共有無線チャネルを利用した通信を実施する際に、通信する無線端末装置を選択すること、その通信の方法を選択することがスケジューリングである。図６には、時間軸において、ランダムに無線リソースを割り当てる例が示される。また、図７には、スケジューリングにより、無線リソースを割り当てる例が示される。図７には、時間軸及び周波数軸における無線リソースを割り当てる例が示される。なお、通信する無線端末装置を選択することは、ある無線端末装置に対して無線チャネルの割り当てを行うことと同義である。【００２８】
また、スケジューリングにおいては、ある時間単位TT1(transmission  time  interval)で選択された無線端末装置UE1は、次の時間単位TT1+1では、選択されないかもしれない。言い換えれば、UE1は連続したTTIで、通信を行えない場合がある。【００２９】
スケジューリングとTDMAとの違いについて説明する。【００３０】
上述したように、HSDPAシステムやLTEシステムと、TDMAシステムとは、無線リソースの割り当て方法が異なる。従って、スケジューリングを用いたシステムとTDMAシステムとは異なる。例えば、HSDPAシステムやLTEシステムでは、スケジューリングにより共有無線チャネルが割り当てられる。また、TDMAシステムでは、通信の開始から終わりまで、ある特定な無線端末装置に対して一定間隔で割り当てられる。【００３１】
セミパーティスタントスケジューリングについて説明する。【００３２】
LTEシステムでは、データ通信に共有無線チャネルが使用される。よって、例えば下りリンクの伝送においては、無線基地局は、各無線端末装置から伝送される無線回線品質指標(CQI)に基づいて、スケジューリングを行う。従って、無線基地局から無線端末装置へのデータの送信間隔は一定ではない場合がある。【００３３】
ある無線端末装置が音声をパケットとして伝送する場合、例えばVoIP(voice  over  Internet  protocol)が行われる場合には、会話であることから即時性が要求される。そのため、VoIPでは、図８及び図９に示されるように、会話の途切れが生じた場合や無線回線品質が変化した場合を除き、一定間隔(T1)で割り当てが実施される。【００３４】
この一定間隔で無線リソースを割り当てるスケジューリングは、パーティスタントスケジューリングと呼ばれる。また、会話の途切れが生じた場合や無線回線品質が変化した場合を除き、一定間隔(T1)で無線リソースを割り当てるスケジューリングは、セミパーティスタントスケジューリングと呼ばれる。【００３５】
なお、セミパーティスタントスケジューリングでは、会話が途切れた場合には、定期的な無線リソースの割り当ては解除される。そして、セミパーティスタントスケジューリングでは、再び会話が生じた場合に、改めて一定周期で割り当てが行われる。そして、改めて一定周期で割り当てが行われる場合、セミパーティスタントスケジューリングでは、回線品質が変化した場合は、使用する変調方式等の変更を行う。このように、セミパーティスタントスケジューリングでは、一定間隔で、一定期間無線リソースの割り当てが実施される。【００３６】
上述したセミパーティスタントスケジューリングによる無線リソースの割り当ては、通信の開始から終わりまでではない。すなわち、通信の開始から終わりまでの期間より、短い期間において、話の途切れが生じた場合や無線回線品質が変化した場合は、定期的な無線リソースの割り当ては解除される。そして、その後、割り当てが再度実施される。よって、LTEシステムとTDMAシステムとは、無線リソースの割り当て方法が異なる。【００３７】
セミパーティスタントスケジューリングにおける異周波数測定について説明する。【００３８】
上述したセミパーティスタントスケジューリングにおいても、異周波数ハンドオーバのために、異周波数測定を実施する必要がある。セミパーティスタントスケジューリングは、上りリンクの送信に対しても適用される。このため、スケジューラによる上りリンクの割り当てがなく、かつ下りリンクの割り当てもない期間で異周波数測定が実施される必要がある。【００３９】
また、上述したように、セミパーティスタントスケジューリングでは、一定周期で無線リソースの割り当てが実施される。この無線リソースの割り当ては、初回送信に対して実施される。LTEシステムでは、HSDPAシステムと同様に再送制御が実施される。再送は初回送信と次回送信との間で行われる。すなわち、実際には、一定周期での割り当ての間にも、無線リソースの割り当てが実施される。これを含めて、無線端末装置は、上りリンク及び下りリンクの割り当てがない期間で、異周波数の測定を実施する必要がある。【００４０】
下りリンク伝送における再送制御と、ACK/NACK送信と、異周波数測定との関係について説明する。ここでは、再送制御についてはHSDPAシステムを例にして簡単に説明する。なお、HSDPAシステムは下り伝送のみである。【００４１】
図１０に無線基地局の例を示し、図１１に無線端末装置の例を示す。【００４２】
スケジューラ部２２において、ある無線端末装置が選択され、データ長などの送信パラメータが選択される。これらの送信パラメータから、送信制御信号作成部２０は送信制御信号を作成する。作成された送信制御信号は、符号化・変調部１４において、符号化され変調される。その後、符号化され、変調された送信制御信号は、送信無線部１６で無線周波数に変換されアンテナを介して、無線端末装置に送信される。【００４３】
続いて、スケジューラ部２２から送信データバッファ１２に対して、データ長が通知される。送信データバッファ１２は、指定されたデータ長のデータを符号化・変調部１４に渡す。符号化・変調部１４では、スケジューラ部２２から指示された符号化方法及び変調方法に基づいて、データを符号化し変調を施し送信無線部１６へ渡す。また、符号化・変調部１４は、符号化したデータを送信バッファに記憶する。送信バッファに記憶されたデータは、送信無線部１６において無線周波数に変換されアンテナを介して無線端末装置に送信される。例えば、データは、HS-DSCH（High  Speed  -  Downlink  Shared  Channel）の無線チャネルであるHS-PDSCH(High  Speed  -  Physical  Downlink  Shared  Channel)を用いて伝送される。【００４４】
HS-PDSCHを受信した無線端末装置５０は、受信無線部５２において、該HS-PDSCHをベースバンド信号に変換する。そして、ベースバンド信号に変換されたHS-PDSCHは、復調・復号部５４において、HS-SCCHのパラメータに従い復調され、復号が実施される。復調され、復号が実施されたHS-PDSCHは、誤り検出部６６において、該復号されたデータに含まれるCRC(Cyclic  Redundancy  Check)に基づいて、誤りの有無の確認が行われる。誤りの有無の結果は、再送制御部６８に入力される。再送制御部６８は、誤り検出部６６において誤りが検出された場合には送達確認情報作成部７０に対してNACK信号を作成するように命令し、誤りが検出されない場合には送達確認情報作成部７０に対してACK信号を作成するように命令する。送達確認情報作成部７０は、再送制御部６８による命令に従って、誤りがない場合にはACK信号を作成し、誤りがある場合にはNACK信号を作成する。【００４５】
このACK/NACK信号は、符号化・変調部７２において、符号化され、変調される。そして、ACK/NACK信号は、送信無線部７４において無線周波数に変換される。そして、無線周波数に変換されたACK/NACK信号は、アンテナから無線基地局１０へ送信される。なお、ACK/NACK信号は、CQIと同様に上り個別無線制御チャネルであるHS-DPCCH(High  Speed  -  Dedicated  Physical  Control  Channel)を用いて伝送される。【００４６】
HS-DPCCHを受信した無線基地局１０は、受信無線部３２において、該HS-DPCCHをベースバンド信号に変換する。そして、無線基地局１０は、ベースバンド信号に変換されたHS-DPCCHを、復調・復号部３０において、復調し復号する。送達確認情報抽出部２８は、HS-DPCCHの復号結果からACK/NACK信号を抽出する。送達確認情報抽出部２８は、ACK/NACK信号の抽出結果を再送制御部２４に入力する。再送制御部２４は、送達確認情報抽出部２８により抽出された信号がACKの場合、送信時に記憶した送信データを消去するようにスケジューラ２２に命令する。スケジューラ２２は、再送制御部２４による送信時に記憶した送信データを消去する命令に応じて、送信データバッファ１２に記憶された送信データのうち、該当する送信データを削除する。再送制御部２４は、送達確認情報抽出部２８により抽出された信号がNACKであった場合、スケジューラ２２に該当する送信データを再送するように命令する。スケジューラ２２は、該当する送信データを選択し、再送を実施する。【００４７】
LTEシステムにおいては、上りリンク及び下りリンクの伝送に対して、同様の再送制御が実施される。上述したように、無線端末装置５０は、一定周期の割り当ての他に、ACK/NACKの送受信を実施する必要がある。言い換えれば、無線端末装置５０は、下りリンクのデータの受信を実施した後、直ちに異周波数測定を実施できるわけではない。無線端末装置５０は、誤りなくデータを受信できた場合は、ACKを送信した後に測定を行わなければならない。もし、無線端末装置５０が、ACKを送信せず異周波数測定を実施した場合は、無線基地局１０において、誤りなくデータを伝送できたかを認識することができない。この場合、無線基地局１０は、再送を実施する。一方、無線基地局１０は、誤りなく伝送できている場合には再送の必要はない。更に、無線端末装置５０は、異周波数測定を実施する場合には、受信周波数を変更する。このため、無線端末装置５０が異周波数測定を実施している間に、無線基地局１０が再送を行っても、無線端末装置１０は、該再送されたデータを受信することはできない。【００４８】
無線端末装置５０は、誤りを含んでデータを受信した場合は、NACKを送信しなければならない。そして、無線端末装置５０は、再送されるデータを受信する必要がある。そして、無線端末装置５０は、再送されたデータに対してACK又はNACKを送信する必要がある。無線端末装置５０は、誤りなしでデータを受信するまで、これらの処理を繰り返す必要がある。【００４９】
下りリンクのCQI測定及び報告と異周波数測定について説明する。【００５０】
無線基地局においてスケジューリングを実施できるように、無線端末装置は、下りリンクのパイロット信号(CPICH)を受信する。そして、無線端末装置は、該下りリンクのパイロット信号のCQIを測定する。そして、無線端末装置５０は、一定周期毎に、HS-DPCCHを用いて、測定したCQIを無線基地局１０に報告する。【００５１】
具体的に説明する。【００５２】
無線基地局１０は、制御信号作成部２０において、パイロット信号を作成する。そして、無線基地局１０は、符号化・変調部１４において、パイロット信号を符号化し、変調を施す。符号化され、変調されたパイロット信号は、送信無線部１６において無線周波数に変換され、アンテナを介して無線端末装置５０へ送信される。【００５３】
このパイロット信号を受信した無線端末装置１０は、該パイロット信号を受信無線部５２においてベースバンド信号に変換し、復調・復号部５４において復調、復号する。そして、無線端末装置５０は、パイロット信号の復号結果に基づいて、無線回線品質測定部６０において無線回線品質を測定する。【００５４】
無線端末装置５０は、測定された無線回線品質に基づいて、無線回線品質情報作成部６２において、無線回線品質指標(CQI)を算出する。無線回線品質指標の算出結果は、符号化・変調部７２において符号化され、変調される。その後、無線回線品質指標の算出結果は、送信無線部７４において無線周波数に変換され、アンテナを介して無線基地局１０へ送信される。【００５５】
このように、無線端末装置５０は、無線回線品質測定(CQI算出)と無線回線品質指標報告(CQI報告)を実施する必要がある。このため、無線端末装置５０は、ACK/NACKと同様に、無線回線品質測定(CQI算出)と無線回線品質指標報告(CQI報告)とを実施しない期間で、異周波数測定を実施する必要がある。もし、無線端末装置５０が、これらの処理を実施せず、異周波数測定を行った場合、次の割り当て周期において、無線リソースの割り当てがない可能性がある。【００５６】
上りリンクの伝送制御、再送制御及びACK/NACK送信と異周波数測定について説明する。【００５７】
ここでは、LTEシステムを例として、上りリンクの伝送の通常動作について説明する。【００５８】
図１２に無線基地局の例を示し、図１３に無線端末装置の例を示す。【００５９】
無線端末装置５０の制御信号作成部８２は、一定周期で上りリンクのパイロット信号を作成する。符号化・変調部７２は、上りリンクのパイロット信号を符号化・変調する。そして、上りリンクのパイロット信号は、送信無線部７４において、無線周波数に変換され、アンテナを介して無線基地局１０に送信される。【００６０】
上りリンクのパイロット信号を受信した無線基地局１０は、受信無線部３２において、該上りリンクのパイロット信号をベースバンド信号に変換する。そして、無線基地局１０は、復調・復号部３０において、ベースバンド信号に変換された上りリンクのパイロット信号を復調、復号する。そして、無線基地局１０は、回線品質測定部４０において、上りリンクのパイロット信号の復調、復号出力に基づいて、パイロット受信電力を測定する。そして、無線基地局１０は、このパイロット信号の受信電力に基づいて、無線回線品質指標(CQI)を算出する。無線基地局１０は、算出した無線回線品質指標を、回線品質記憶部４２に記憶する。【００６１】
無線端末装置５０は、上りリンクで送信すべきデータがある場合、送信制御部８０は、無線基地局１０に対して無線リソースの割り当てを要求するために、制御信号作成部８２に対して、割り当て要求信号の作成を通知する。この割り当て要求信号は、スケジューリングリクエスト(Scheduling  Request)又はSRと呼ばれてもよい。制御信号作成部８２は、送信制御部８０による要求に応じてSRを作成する。制御信号作成部８２において作成されたSRは、符号化・変調部７２において、符号化され、変調が施され、送信無線部７４において無線周波数に変換され、アンテナを介して無線基地局１０へ送信される。【００６２】
SRを受信した無線基地局１０は、受信無線部３２において、SRをベースバンド信号に変換する。そして、無線基地局１０は、復調・復号部３０において、ベースバンド信号に変換されたSRを復調し、復号する。無線基地局１０は、SRの復号の後、制御信号抽出部３８において、復号された情報からSR信号を抽出し、スケジューラ部２２に渡す。【００６３】
スケジューラ部２２では、各無線端末装置から送信され、受信したSR信号と、回線品質記憶部４２に記憶された各無線端末装置の回線品質(CQI)に基づいて、上りリンクの送信を許可する無線端末装置を選択する(以後、上りリンクの送信割り当てと呼ぶ)。また、下りリンクの場合と同様に、スケジューリング部２２は、上りリンクの送信制御パラメータを決定する。制御信号作成部２０は、スケジューリンググラント(Scheduling  Grant)信号(以後、Grant信号と呼ぶ)を作成する。上りリンクの送信制御パラメータには、データ長、符号化率、変調方式、送信タイミング及び新規送信か再送かの指標等などが含まれる。【００６４】
このGrant信号は、符号化・変調部１４において、符号化され、変調される。そして、変調されたGrant信号は、送信無線部１６において無線周波数に変換され、アンテナを介して無線端末装置１０に送信される。【００６５】
Grant信号を受信した無線端末装置１０は、受信無線部５２において、該Grant信号をベースバンド信号に変換する。そして、無線端末装置１０は、復調・復号部５４において、Grant信号を復調し、復号を行う。そして、無線端末装置１０は、制御信号抽出部５６において、Grant信号を抽出する。抽出されたGrant信号は、送信制御部８０に渡される。【００６６】
送信制御部８０は、Grant信号に基づいて、送信データバッファ８４からデータを読み出す。そして、送信制御部８０は、Grant信号に基づいて、符号化・変調部７２に対して符号化方法及び変調方法を指示する。符号化・変調部７２は、送信データバッファ８４から読み出されたデータを、指定された符号化、変調方法で符号化し、変調する。そして、符号化、変調された信号は、送信無線部７４において、無線周波数に変換され、アンテナを介して無線基地局１０に送信される。なお、無線端末装置５０は、送信したデータを送信データバッファ８４に記憶する。【００６７】
無線端末装置５０からの上りリンクのデータを受信した無線基地局１０は、受信無線部３２でベースバンド信号に変換する。そして、無線基地局１０は、復調・復号部３０において、ベースバンド信号に変換された上りリンクのデータを復調し復号する。続いて、無線基地局１０は、誤り検出部３４において、復調・復号部３０において復号されたデータに含まれるCRCに基づいて、誤りの有無を確認する。【００６８】
送達確認情報作成部３６は、誤りがない場合はACK信号を作成し、誤りがある場合はNACK信号を作成する。符号化・変調部１４は、このACK/NACK信号を、符号化し、変調する。送信無線部16は、ACK/NACK信号を、無線周波数に変換し、アンテナから無線端末装置５０へ送信を行う。【００６９】
ACK/NACK信号を受信した無線端末装置５０は、受信無線部５２において、該ACK/NACK信号をベースバンド信号に変換する。復調・復号部５４は、ベースバンド信号に変換されたACK/NACK信号を復調し復号する。無線端末装置５０は、送達確認情報抽出部７６において、ACK/NACK信号の復号結果からACK/NACK信号を抽出する。再送制御部７８は、抽出した信号がACKの場合、送信時に記憶した送信データを消去する。送達確認情報抽出部７６は、抽出した信号がNACKであった場合、前述のようにSRを無線基地局１０に送信し、再送することを要求する。【００７０】
以上のように、無線端末装置５０から無線基地局１０に対してデータ送信を実施する場合、無線端末装置５０は、該データ送信の後、ACK/NACK受信及びNACK受信の場合は、更にSR送信を実施する必要がある。つまり、無線端末装置５０は、無線基地局１０からのACKが受信できるまでは、異周波数測定を実施することができない。仮に、ACK/NACK受信を行わず、異周波数測定を実施した場合、送信周波数が別な周波数に設定されているため、無線端末装置５０は、無線基地局１０に対して再送を実施することができなくなる。また、無線端末装置５０から無線基地局１０へデータを送信し、すぐに異周波数測定を実施した場合、同様に受信周波数が別な周波数に設定されてしまうため、無線端末装置５０は、ACK/NACKを受信することができなくなる。【００７１】
また、異周波数測定によって、無線端末装置５０の送信周波数が別周波数に設定された場合、無線端末装置５０は、パイロット信号を、一定周期で無線基地局１０へ送信できなくなる。この結果、無線基地局１０は、該無線端末装置５０における無線回線品質を測定できなくなる。その結果、無線基地局１０は、スケジューリングにおいてその無線端末装置を選択できない。
【非特許文献１】TS25.101  V3.19.0
【非特許文献２】TS25.101  V6.14.0
【非特許文献３】TS25.211  V3.12.0
【非特許文献４】TS25.212  V3.11.0
【非特許文献５】TS25.213  V3.9.0
【非特許文献６】TS25.214  V3.12.0
【非特許文献７】TS25.215  V3.13.0
【非特許文献８】TS25.211  V5.8.0
【非特許文献９】TS25.212  V5.10.0
【非特許文献１０】TS25.214  V5.11.0
【非特許文献１１】TS25.215  V5.7.0
【非特許文献１２】TS25.321  V5.13.0
【非特許文献１３】RCR  STD-28
【非特許文献１４】TS36.211  V1.3.0
【非特許文献１５】TS36.212  V1.3.0
【非特許文献１６】TS36.213  V1.3.0
【発明の開示】
【発明が解決しようとする課題】
【００７２】
上述したように、例えば、無線端末装置５０は、異周波数測定を実施する場合には、送受信を行う周波数を変更する。このため、無線端末装置５０は、該無線端末装置５０が在圏している無線基地局と、データ送受信、ACK/NACK送受信、再送データの送受信、パイロット信号の送信、パイロット信号の受信及び無線回線品質指標の送信ができない。従って、無線端末装置５０は、これらの送受信を避けて異周波数測定を実施する必要がある。【００７３】
下りリンクの送信で初回送信が実施された場合における異周波数測定について、図１０及び図１１を参照して、説明する。無線端末装置５０は、下りリンクの送信データの受信後、受信無線部５２を設定し受信周波数を変更する。具体的には、無線端末装置５０は、受信無線部５２にあるローカル発振器の周波数を変更することにより、受信周波数を変更する。一般的にはローカル発振器は、PLL(Phase  Lock  Loop）シンセサイザで構成されており、VCO(Voltage  Controlled  Oscillator)の電圧を制御することで発信周波数を制御する。PLLを用いることにより、その発信周波数を高精度かつ安定にする。また、PLLでは、ループ制御が実施されているため、ループの収束には時間が必要である。すなわち、周波数設定には時間を要する。【００７４】
無線端末装置５０は、異周波数を用いる無線基地局から送信された同期信号を用いて、隣接無線基地局からの受信周波数と自無線端末装置１０の周波数との差をゼロとする。また、無線端末装置１０は、その同期信号を用いて、位相同期を実施する。この処理により、異周波数測定が可能となる。【００７５】
また、無線端末装置１０は、異周波数を用いた無線基地局から送信されたパイロット信号を用いて無線回線品質を測定する。無線回線品質には、例えば受信電界強度が含まれる。無線端末装置５０は、この無線回線品質測定結果を、無線回線品質情報記憶部６２に記憶し、異周波数測定を終了する。【００７６】
続いて、無線端末装置５０は、受信無線部５２を制御し元の周波数に戻し、上述の同様に同期をとる。なお、無線端末装置５０は、無線回線品質測定結果を、異周波数を用いた無線基地局に対して、報告してもよい。【００７７】
この異周波数測定は、図１４に示すように、無線端末装置５０において、下りリンクの送信データを受信後、次の下りリンクの送信データの受信までの期間で実施される。実際には、図１５及び図１６に示すように、無線基地局１０は、無線端末装置５０に周期的に割り当てを通知する（ステップＳ１５０２）。この割り当ては一定期間であってもよい。そして、無線基地局１０はデータを送信する（ステップＳ１５０４）。無線端末装置５０は、下りリンクの送信データを受信し、該受信信号に誤りがあるかないかを判別する。このとき、誤りがない場合は、図１６に示すように、無線端末装置５０は、ACK信号を作成し、該作成したACK信号を無線基地局１０へ送信する。誤りがある場合は、無線端末装置５０は、NACK信号を作成し、該作成したNACK信号を無線基地局１０へ送信する（ステップＳ１５０６）。【００７８】
無線基地局１０はデータを送信する（ステップＳ１５０８）。無線端末装置５０は、下りリンクの送信データを受信し、該受信信号に誤りがあるかないかを判別し、該判別結果に応じて、ACK信号/NACK信号を送信する（ステップＳ１５１０）。【００７９】
無線基地局１０は、測定要求信号を送信する（ステップＳ１５１２）。【００８０】
無線基地局１０は、データを送信する（ステップＳ１５１４）。無線端末装置５０は、下りリンクの送信データを受信し、該受信信号に誤りがあるかないかを判別し、該判別結果に応じて、ACK信号/NACK信号を送信する（ステップＳ１５１６）。【００８１】
このACK又はNACK信号を送信したのち、無線端末装置５０は、異周波数測定を実施する（ステップＳ１５１８）。【００８２】
無線端末装置５０は、異周波数測定結果通知信号を、無線基地局１０に送信する（ステップＳ１５２０）。【００８３】
しかしながら、図１７に示すように、異周波数測定に要する期間（必要測定期間）が、下りリンクの送信データの受信に対するACK/NACK信号の送信から、一定周期で送信される次の下り送信データ受信まで期間（測定可能期間）よりも長い場合、無線端末装置５０は、異周波数測定を実施できない。又は、異周波数測定に要する期間が、下りリンクの送信データの受信に対するACK/NACK信号の送信から、一定周期で送信される次の下り送信データ受信まで期間よりも長い場合、無線端末装置５０は、次の下り送信データの受信ができない。この場合、図１８のステップＳ１５１８及びＳ１５２２に示されるように、無線端末装置５０が異周波数測定を行っている間に、無線基地局１０から下りリンクのデータが送信される。【００８４】
また、図１９及び図２０に示すように、無線端末装置５０は、下りリンクの送信データを受信した場合、該送信データに誤りが含まれる場合には、NACKを無線基地局１０へ送信する。この場合には、無線端末装置５０は、無線基地局１０から送信された再送データを受信する。そして、無線端末装置５０は、上述の同様に受信データに誤りがあるかないかを判別し、無線基地局１０に対してACK/NACK送信する。そして、無線端末装置５０は、異周波数測定を実施する。再送が行われる場合には、測定可能期間が更に短縮される。【００８５】
下りリンクの信号の再送は、無線基地局１０が、無線端末装置５０から送信されたACKを受信するか、再送回数が最大再送回数になるまで行われる。図２１に示すように、再送回数が多いほど、異周波数測定が可能な期間が減少する。【００８６】
このように、再送が実施された場合、異周波数測定が可能な期間内で異周波数測定を実施することができない。【００８７】
ここで、平均の送信回数は、約1.6回程度であると想定されている。ここで、平均の送信回数とは、初回送信と再送回数との和である。この平均の送信回数が約1.6回とは、初回送信のみで送信が終了する場合と、２回送信(初回送信＋１回の再送)で送信が終了する場合とで、平均送信回数が按分されていると考えることができる。この考えでは、初回送信で終了する確率は、０．４であり、２回送信の確率は０．６となる。言い換えれば、再送が実施される可能性は約２回に１回となり、再送が少ないとは言えないことがわかる。【００８８】
更に、上述したように、無線端末装置５０は、図２２に示すように、定期的に無線基地局１０から送信されるパイロット信号を受信し、無線回線品質を測定し、無線回線品質指標(CQI)を算出する。そして、無線端末装置５０は、無線基地局１０に対して、無線回線品質指標(CQI)を報告する必要がある。この測定及び報告処理と、下りリンクの送信データの受信処理のタイミングによっては、異周波数測定可能期間が短くなる場合がある。そして、次の下りリンクの送信データの受信に、異周波数測定が重なる場合がある。この重なりにより、異周波数測定を中断するか中止するか、実施できない場合が生じる。【００８９】
また、以上は、下りリンクのデータ伝送について説明したが、上りリンクのデータ伝送においても同様に異周波数測定を中断するか中止するか、実施できない場合が生じる場合がある。【００９０】
次に、上りリンクのデータ送信と下りリンクのデータ送信について考える。【００９１】
ここでは、簡単のために、上りリンクの送信周期と下りリンクの送信周期は、同じであると考える。しかしながら、上りリンクの送信タイミングと下りリンクの送信タイミングは、同じとは限らない。これは、無線基地局１０における上りリンクのスケジューリング部と下りリンクのスケジューリング部が独立に動作していることや、VoIPの場合、会話は受け答えでなりたつことなどが原因と考えられる。【００９２】
この結果、例えば、図２３及び図２４に示すように、無線基地局１０が下りリンクのデータを伝送した後、無線端末装置５０が上りリンクのデータの伝送を実施する場合がある。このような状況で、ある期間中に無線端末装置５０が一定周期で割り当てられる上りリンクのデータと、同様にある期間中に、一定周期で割り当てられる下りリンクのデータとを避けて、異周波数測定を実施しようとした場合、異周波数測定が可能な期間が短縮する。その結果、前述の再送を実施した場合と同様に、無線端末装置５０は、測定可能期間内で異周波数測定を実施することができない。すなわち、無線端末装置５０は、異周波数測定を中断するか中止するか、実施できない場合が生じる。【００９３】
そこで、本無線基地局、無線端末装置及び無線通信システム並びに方法は、上述した問題点の少なくとも１つを解決するためになされたものであり、その目的は、無線チャネルの割り当てと異周波数測定とが重ならないように制御することができる無線基地局、無線端末装置及び無線通信システム並びに方法を提供することにある。
【課題を解決するための手段】
【００９４】
上記課題を解決するため、この無線基地局は、
無線端末装置に対して、一定周期で、共有チャネルを割り当てるスケジューラと、
前記無線端末装置が異周波数測定を行う期間を検出する検出手段と
を有し、
前記スケジューラは、前記無線端末装置が異周波数測定を行う期間と重複しないように、前記無線端末装置に対して無線リソースを割り当てる。【００９５】
この無線基地局は、
無線回線品質又は送信データ量に基づいて、無線端末装置を選択する選択手段と、
前記無線端末装置が異周波数測定を行う期間を設定する設定手段と、
該選択された無線端末装置に対して、一定周期で、共有チャネルを割り当てるスケジューラと、
下りリンクのデータの再送制御を行い、再送回数を制限する下りリンク再送制御手段と
を有し、
異周波数測定期間において、該下りリンク再送制御手段によって設定された再送回数の制限値とは異なる再送回数の制限値を設定する。【００９６】
この無線端末装置は、
異周波数測定を要求する異周波数測定要求手段と、
前記異周波数測定の要求に対する応答に従って、異周波数測定を行う異周波数測定制御手段と
を有し、
無線基地局は、異周波数測定を行う期間と重複しないように、無線リソースを割り当てる。【００９７】
この方法は、
無線基地局は、無線回線品質に基づいて、通信を実施する無線端末装置を選択し、
前記無線基地局は、該選択された無線端末装置に対して、一定周期で、共有チャネルを割り当て、
前記無線基地局が、前記無線端末装置が異周波数測定を行う期間を検出し、
前記無線基地局が、前記無線端末装置が異周波数測定を行う期間と重複しないように、前記無線端末装置に対して無線リソースを割り当てる。【００９８】
この無線通信システムは、
無線基地局と無線端末装置で構成される無線通信システムにおいて、
無線端末装置は、異周波数測定を要求する異周波数測定要求手段と、
異周波数測定手段と
を有し、
無線基地局は、
前記無線端末装置からの異周波数測定要求を受信する受信手段と、
前記無線端末装置が異周波数測定を行う期間と重複しないように、前記無線端末装置に対して無線リソースを割り当てるスケジューラと、
該異周波数測定期間を前記無線端末装置に通知する異周波数測定期間通知手段と
を有し、
前記無線端末装置は、該異周波数測定期間に従い異周波数測定を行う。【００９９】
この無線通信システムは、
無線回線品質または送信データ量に基づいて、無線端末装置を選択する無線通信システムにおいて、
無線端末装置において異周波数測定を行う期間を検出する検出手段と、
無線基地局に対して異周波数測定実施を通知する通知手段と
を備え、
該無線基地局において該選択された無線端末装置に対して、一定周期で共有チャネルを割り当てるスケジューラ
を備え、
該異周波数測定通知を受信した場合、前記スケジューラは、前記無線端末装置が異周波数測定を行う期間と重複しないように、該無線端末装置に対して無線リソースを割り当て、該無線端末装置に通知する。【０１００】
この無線通信システムは、
無線回線品質または送信データ量に基づいて、無線端末装置を選択する無線通信システムにおいて、
無線基地局と通信中の無線端末装置が異周波数測定を行う期間を検出する検出手段と、
前記無線端末装置に対して、一定周期で共有チャネルを割り当てるスケジューラと
を備え、
該異周波数測定通知を受信した場合、前記スケジューラは、前記無線端末装置が異周波数測定を行う期間と重複しないように、該無線端末装置に対して無線リソースを割り当て、無線端末装置に通知する通知手段
を有し、
通知を受けた無線端末装置は、異周波数測定を実施する。
【発明の効果】
【０１０１】
開示の無線基地局、無線端末装置及び無線通信システム並びに方法によれば、無線チャネルの割り当てと異周波数測定とが重ならないように制御することができる。
【図面の簡単な説明】
【０１０２】
【図１】異周波数ハンドオーバを示す説明図である。
【図２】無線通信システムの一例を示す説明図である。
【図３】TDMAが適用されるシステムにおけるリソース割り当ての一例を示す説明図である。
【図４】TDMAが適用されるシステムにおけるリソース割り当ての一例を示す説明図である。
【図５】無線通信システムの一例を示す説明図である。
【図６】スケジューリングが適用されるシステムにおけるリソース割り当ての一例を示す説明図である。
【図７】スケジューリングが適用されるシステムにおけるリソース割り当ての一例を示す説明図である。
【図８】セミパーティスタントスケジューリングが適用されるシステムにおけるリソース割り当ての一例を示す説明図である。
【図９】セミパーティスタントスケジューリングが適用されるシステムにおけるリソース割り当ての一例を示す説明図である。
【図１０】無線基地局を示す部分ブロック図である。
【図１１】無線端末装置を示す部分ブロック図である。
【図１２】無線基地局を示す部分ブロック図である。
【図１３】無線端末装置を示す部分ブロック図である。
【図１４】異周波数測定期間を示す説明図である。
【図１５】異周波数測定の一例を示すシーケンス図である。
【図１６】異周波数測定期間を示す説明図である。
【図１７】異周波数測定期間を示す説明図である。
【図１８】異周波数測定の一例を示すシーケンス図である。
【図１９】異周波数測定期間を示す説明図である。
【図２０】異周波数測定期間を示す説明図である。
【図２１】異周波数測定期間を示す説明図である。
【図２２】異周波数測定期間を示す説明図である。
【図２３】異周波数測定期間を示す説明図である。
【図２４】異周波数測定期間を示す説明図である。
【図２５】一実施例に係る無線通信システムを示す説明図である。
【図２６】異周波数測定期間を示す説明図である。
【図２７】異周波数測定期間を示す説明図である。
【図２８】一実施例に係る無線基地局を示す部分ブロック図である。
【図２９】一実施例に係る無線端末装置を示す部分ブロック図である。
【図３０】一実施例に係る無線通信システムの動作を示すシーケンス図である。
【図３１】一実施例に係る異周波数測定期間を示す説明図である。
【図３２】一実施例に係る異周波数測定期間を示す説明図である。
【図３３】一実施例に係る無線通信システムの動作を示すシーケンス図である。
【図３４】一実施例に係る無線通信システムの動作を示すシーケンス図である。
【図３５】一実施例に係る無線通信システムの動作を示すシーケンス図である。
【図３６】一実施例に係る無線基地局を示す部分ブロック図である。
【図３７】一実施例に係る無線端末装置を示す部分ブロック図である。
【図３８】一実施例に係る無線通信システムの動作を示すシーケンス図である。
【図３９】異周波数測定期間を示す説明図である。
【図４０】一実施例に係る異周波数測定期間を示す説明図である。
【図４１】一実施例に係る異周波数測定期間を示す説明図である。
【図４２】異周波数測定期間を示す説明図である。
【図４３】異周波数測定期間を示す説明図である。
【図４４】異周波数測定期間を示す説明図である。
【図４５】異周波数測定期間を示す説明図である。
【図４６】一実施例に係る異周波数測定期間を示す説明図である。
【図４７】一実施例に係る異周波数測定期間を示す説明図である。
【図４８】一実施例に係る異周波数測定期間を示す説明図である。
【図４９】一実施例に係る異周波数測定期間を示す説明図である。
【図５０】一実施例に係る異周波数測定期間を示す説明図である。
【図５１】一実施例に係る無線端末装置を示す部分ブロック図である。
【図５２】一実施例に係る異周波数測定期間を示す説明図である。
【図５３】一実施例に係る異周波数測定期間を示す説明図である。
【符号の説明】
【０１０３】
１０  無線基地局
１２  送信データバッファ
１４  符号化・変調部
１６  送信無線部
１８  測定制御部
２０  制御信号作成部
２２  スケジューラ
２４  再送制御部
２６  回線品質情報抽出部
２８  送達確認情報抽出部
３０  復調・復号部
３２  受信無線部
３４  誤り検出部
３６  送達確認情報作成部
３８  制御情報抽出部
４０  回線品質測定部
４２  回線品質記憶部
５０  無線端末装置
５２  受信無線部
５４  復調・復号部
５６  制御信号検出部
５８  受信制御部
６０  無線回線品質測定部
６２  無線回線品質情報作成部
６４  無線回線品質情報記憶部
６６  誤り検出部
６８  再送制御部
７０  送達確認情報作成部
７２  符号化・変調部
７４  送信無線部
７６  送達確認情報抽出部
７８  再送制御部
８０  送信制御部
８２  制御信号作成部
８４  送信データバッファ
１００  無線端末装置
１０２  受信無線部
１０４  復調・復号部
１０６  無線回線品質測定部
１０８  制御信号検出部
１１０  測定制御部
１１２  送達確認情報抽出部
１１４  誤り検出部
１１６  下り再送制御部
１１８  下り受信制御部
１２０  上り送信／再送制御部
１２２  制御信号作成部
１２４  送達確認情報作成部
１２６  送信データバッファ
１２８  無線回線品質情報記憶部
１３０  無線回線品質情報作成部
１３２  符号化・変調部
１３４  送信無線部
１３６  送信制御部
１３８  再送制御部
１４０  受信無線部
１４２  復調・復号部
１４４  無線回線品質測定部
１４６  異周波数測定部
２００（２００１、２００２、２００３）  無線基地局
２０２  受信無線部
２０４  復調・復号部
２０６  誤り検出部
２０８  送達確認情報作成部
２１０  送達確認情報抽出部
２１２  回線品質情報抽出部
２１４  回線品質測定部
２１６  リクエスト情報抽出部
２１８  再送制御部
２２０  スケジューラ
２２２  制御信号作成部
２２４  測定制御部
２２６  送信データバッファ
２２８  符号化・変調部
２３０  送信無線部
２３２  スケジューラ
３００（３００１、３００２）  MME(Mobility  Management  Entity)  /  S-GW(Serving-Gateway)
【発明を実施するための最良の形態】
【０１０４】
次に、本発明を実施するための最良の形態を、以下の実施例に基づき図面を参照しつつ説明する。
なお、実施例を説明するための全図において、同一機能を有するものは同一符号を用い、繰り返しの説明は省略する。
（第１の実施例）
実施例の一つに係る無線基地局及び無線端末装置が適用される無線通信システムの一例について、図２５を参照して説明する。【０１０５】
本実施例に係る無線通信システムでは、無線端末装置は、移動に伴い接続する無線基地局を適宜切り替える。無線端末装置は、いわゆるハンドオーバ制御を行う。ハンドオーバ制御では、適切な隣接セルをカバーする無線基地局へハンドオーバするために、無線端末装置において隣接セルの無線回線品質が測定される。無線端末装置は、その測定結果に基づいてハンドオーバを行う。無線回線品質には、受信電界強度が含まれる。【０１０６】
ここで、隣接セルでは、現在通信に用いられている周波数キャリアとは異なる周波数キャリア、すなわち異周波が運用されている場合もあるし、複数の周波数キャリアが運用されている場合もある。これらの異周波へハンドオーバしようとした場合、無線端末装置は、隣接セルや通信中のセルにおける無線回線品質を測定する必要がある。このような特徴を有する無線通信システムとして、LTE(Long  Term  Evolution)が適用される無線通信システムが挙げられる。そこで、本実施例では、一例として、LTEが適用される無線通信システムについて説明するが、上述した特徴を有する無線通信システムであれば、LTEが適用される無線通信システム以外にも適用可能である。このLTEが適用される無線通信システムは、Evolved  UTRA  and  UTRANと呼ばれてもよい。【０１０７】
実施例に係る無線通信システムは、無線端末装置(MS:  Mobile  Station)１００を有する。また、無線通信システムは、無線基地局(BS:  Base  Station)２００（２００１、２００２、２００３）を有する。無線基地局２００の上位にはMME(Mobility  Management  Entity)／S-GW(Serving-Gateway)３００（３００１、３００２）が設置される。図２５には３つの無線基地局が示されているが、２つでもよいし、４つ以上でもよい。また、図２５には１つの無線端末装置が示されているが、２つ以上でもよい。また、無線基地局は、イーノードビ(eNB:  eNodeB)と呼ばれてもよい。また、無線端末装置は、移動局と呼ばれてもよいし、ユーザ装置(UE:  User  Equipment)と呼ばれてもよい。【０１０８】
図２５において、S1は、無線基地局２００とMME/S-GW３００との間のインターフェースである。また、X2は、無線基地局２００間のインターフェースである。【０１０９】
無線基地局２００は、呼制御、無線制御を行う。また、無線基地局は、RRC(radio  resource  control)の機能を有する。無線基地局には、S1-AP(Application)、X2-APが含まれる。【０１１０】
MME／S-GW３００は、NAS(Non-Access  Stratum)を終端し、アイドル状態である無線端末装置の管理、SAE(System  Architecture  Evolution)ベアラリソースの管理を行う。【０１１１】
無線通信システムは、無線アクセス方式として、下りリンクについてはOFDM、上りリンクについてはSC-FDMAが適用される。OFDMは、周波数帯域を複数の狭い周波数帯域（サブキャリア）に分割し、各周波数帯上にデータを載せて伝送を行う方式である。SC-FDMAは、周波数帯域を分割し、複数の無線端末装置間で異なる周波数帯域を用いて伝送することで、無線端末装置間の干渉を低減することができる伝送方式である。【０１１２】
本実施例では、一例として、無線基地局２００から無線端末装置１００へデータ伝送を実施する場合、いわゆる下りリンクの場合について説明する。しかし、上りリンクについても適用できる。【０１１３】
図２６及び図２７に示されるように、無線基地局２００は、ある一定周期Ｔ１で、その無線端末装置１００に向けた下りリンクの送信割り当てを行う。この場合に、無線端末装置１００は、現在接続中の無線基地局２００からの受信周波数とは、異なる周波数を用いる現在接続中の無線基地局２００とは異なる無線基地局からの無線回線品質等の測定(以後、異周波数特性と略す)を行う。無線回線品質には、受信電界強度が含まれる。無線基地局２００のスケジューラは、異周波数測定期間と下りリンクの送信割り当てとが重なった場合、下りリンクの送信割り当てを行わない。その結果、無線端末装置１００は、異周波数測定を実施することができる。【０１１４】
無線端末装置１００は、下りリンクの送信割り当てが実施されなかった周期に含まれる期間で異周波数測定を実施することができる。従って、無線端末装置１００は、中止又は中断することなく異周波数測定の実施が可能となる。【０１１５】
また、無線端末装置１００は、下りリンクの送信割り当てをしない周期の1周期前で下りリンクの受信が終了した後、異周波数測定を実施するようにしてもよい。このようにすることで、測定可能期間を伸長することができる。【０１１６】
また、無線基地局２００は、次の下りリンクの送信割り当てを行う周期で、下りリンクの送信割り当てを実施した場合に、該周期前の周期で下りリンクの送信割り当てをしなかったことで送信できなかったデータとその下りリンクの送信割り当てで送信するデータとを合わせて送信する。このようにすることによって、送信データの欠落を防止することができる。【０１１７】
本実施例に係る無線基地局２００について、図２８を参照して説明する。【０１１８】
本実施例に係る無線基地局２００は、受信無線部２０２を有する。受信無線部２０２は、無線端末装置１００により送信された上りリンクの信号を受信する。そして、受信無線部２０２は、受信した上りリンクの信号を復調・復号部２０４に入力する。【０１１９】
また、本実施例に係る無線基地局２００は、復調・復号部２０４を有する。復調・復号部２０４は、受信無線部２０２により入力された上りリンクの信号の復調・復号を行う。そして、復調・復号部２０４は、復調・復号が行われた上りリンクの信号を、後述する誤り検出部２０６、送達確認情報抽出部２１０、回線品質情報抽出部２１２、回線品質測定部２１４及びリクエスト情報抽出部２１６のうち、少なくとも１つに入力する。【０１２０】
また、本実施例に係る無線基地局２００は、誤り検出部２０６を有する。誤り検出部２０６は、復調・復号部２０４において復調・復号が行われた上りリンクの信号の誤り検出を行う。誤り検出部２０６は、誤り検出の結果を後述する送達確認情報作成部２０８及び再送制御部２１８に入力する。【０１２１】
また、本実施例に係る無線基地局２００は、送達確認情報作成部２０８を有する。送達確認情報作成部２０８は、誤り検出部２０６において検出された誤りの有無を示す送達確認情報を作成する。送達確認情報には、肯定応答(ACK)又は否定応答(NACK)が含まれる。そして、送達確認情報作成部２０８は、作成した送達確認情報を後述する符号化・変調部２２８に入力する。【０１２２】
また、本実施例に係る無線基地局２００は、送達確認情報抽出部２１０を有する。送達確認情報抽出部２１０は、送信した下りリンクの信号に対する応答として、無線端末装置１００により送信された送達確認情報を抽出する。送達確認情報抽出部２１０は、抽出した送達確認情報を、再送制御部２１８に入力する。【０１２３】
また、本実施例に係る無線基地局２００は、回線品質情報抽出部２１２を有する。回線品質情報抽出部２１２は、無線端末装置１００により送信された上りリンクの信号に含まれる回線品質情報を抽出する。この回線品質情報には、例えば下りリンクの回線品質を示す情報が含まれる。例えば、回線品質を示す情報には、受信電界強度が含まれてもよい。回線品質情報抽出部２１２は、抽出した回線品質情報を後述するスケジューラ２２０に入力する。【０１２４】
また、本実施例に係る無線基地局２００は、回線品質測定部２１４を有する。回線品質測定部２１４は、無線端末装置１００により送信された上りリンクの信号に基づいて、回線品質を測定する。そして、回線品質測定部２１４は、測定した回線品質をスケジューラ２２０に入力する。【０１２５】
また、本実施例に係る無線基地局２００は、リクエスト情報抽出部２１６を有する。リクエスト情報抽出部２１６は、無線端末装置１００によりリクエスト情報が送信された場合、該リクエスト情報を抽出する。そして、リクエスト情報抽出部２１６は、抽出したリクエスト情報をスケジューラ２２０に入力する。【０１２６】
また、本実施例に係る無線基地局２００は、再送制御部２１８を有する。再送制御部２１８は、誤り検出部２０６により入力された送達確認情報に否定応答が含まれる場合、スケジューラ２２０に対して、該当するデータの再送を行うように制御する。また、再送制御部２１８は、誤り検出部２０６により入力された送達確認情報に肯定応答が含まれる場合、スケジューラ２２０に対して、該当するデータを削除するように制御する。【０１２７】
また、本実施例に係る無線基地局２００は、スケジューラ２２０を有する。スケジューラ２２０は、再送制御部２１８による制御に従って、送信データバッファ２２６に保持されているデータの再送又は消去を行う。また、スケジューラ２２０は、回線品質情報抽出部２１２により入力された回線品質情報に基づいて、無線端末装置１００に送信する下りリンクの信号で使用する無線リソースを決定する。また、スケジューラ２２０は、回線品質測定部２１４により入力された回線品質情報に基づいて、無線端末装置１００に割り当てる無線リソースを決定するスケジューリングを行うようにしてもよい。【０１２８】
また、スケジューラ２２０は、リクエスト情報抽出部２１６により入力されたリクエスト情報に基づいて、上りリンクの無線リソースを割り当てるようにしてもよい。そして、スケジューラ２２０は、無線端末装置１００に割り当てる無線リソースの情報を制御信号作成部２２２に入力する。【０１２９】
また、本実施例に係る無線基地局２００は、制御信号作成部２２２を有する。制御信号作成部２２２は、スケジューラ２２０により入力された無線リソースの情報に基づいて、制御信号を作成する。また、制御信号作成部２２２は、後述する測定制御部２２４により、異周波数測定要求信号を作成する通知が入力された場合、該通知に従って、異周波数測定要求信号を作成する。【０１３０】
また、本実施例に係る無線基地局２００は、測定制御部２２４を有する。測定制御部２２４は、無線端末装置１００において異周波数測定を実施する必要があるか否かを判断する。測定制御部２２４は、無線端末装置１００において異周波数測定を実施する必要があると判断した場合、制御信号作成部２２２に対して、異周波数測定要求信号を作成するように通知する。【０１３１】
また、本実施例に係る無線基地局２００は、送信データバッファ２２６を有する。送信データバッファ２２６は、送信データを保持する。そして、送信データバッファ２２６は、スケジューラ２２０による命令に従って、無線端末装置１００から肯定応答が送信された場合には、該当するデータを消去する。また、無線端末装置１００から否定応答が送信された場合には、スケジューラ２２０による命令に従って、該否定応答に該当するデータを符号化・変調部２２８に入力する。【０１３２】
また、本実施例に係る無線基地局２００は、符号化・変調部２２８を有する。符号化・変調部２２８は、入力されたデータに対して、符号化処理・変調処理を行う。符号化・変調部２２８は、変調処理が行われたデータを送信無線部２３０に入力する。【０１３３】
また、本実施例に係る無線基地局２００は、送信無線部２３０を有する。送信無線部２３０は、符号化・変調部２２８において符号化処理・変調処理が行われたデータを無線周波数に変換し、アンテナを介して送信する。【０１３４】
本実施例に係る無線端末装置１００について、図２９を参照して説明する。【０１３５】
本実施例に係る無線端末装置１００は、受信無線部１０２を有する。受信無線部２０２は、無線基地局２００により送信された下りリンクの信号を受信する。そして、受信無線部１０２は、受信した下りリンクの信号を復調・復号部１０４に入力する。【０１３６】
また、本実施例に係る無線端末装置１００は、復調・復号部１０４を有する。復調・復号部１０４は、受信無線部１０２により受信された下りリンクの信号の復調・復号を行う。そして、復調・復号部１０４は、復調・復号が行われた下りリンクの信号を、後述する無線回線品質測定部１０６、制御信号検出部１０８、送達確認情報抽出部１１２及び誤り検出部１１４のうち、少なくとも１つに入力する。【０１３７】
また、本実施例に係る無線端末装置１００は、無線回線品質測定部１０６を有する。無線回線品質測定部１０６は、無線基地局２００により送信された下りリンクの信号に基づいて、回線品質を測定する。そして、回線品質測定部１０６は、測定した回線品質を後述する無線回線品質情報作成部１３０に入力する。回線品質には、例えば、受信電界強度が含まれる。【０１３８】
また、本実施例に係る無線端末装置１００は、制御信号検出部１０８を有する。制御信号検出部１０８は、無線基地局２００により送信された下りリンクの信号に含まれる制御信号を検出する。そして、制御信号検出部１０８は、検出した制御信号を後述する測定制御部１１０及び上り送信／再送制御部１２０に入力する。【０１３９】
また、本実施例に係る無線端末装置１００は、送達確認情報抽出部１１２を有する。送達確認情報抽出部１１２は、送信した上りリンクの信号に対して、無線基地局２００により送信された送達確認情報を抽出する。送達確認情報抽出部１１２は、抽出した送達確認情報を、上り送信／再送制御部１２０に入力する。【０１４０】
また、本実施例に係る無線端末装置１００は、誤り検出部１１４を有する。誤り検出部１１４は、復調・復号部１０４において復調・復号が行われた下りリンクの信号の誤り検出を行う。誤り検出部１１４は、誤り検出の結果を後述する下り再送制御部１１６に入力する。【０１４１】
また、本実施例に係る無線端末装置１００は、下り再送制御部１１６を有する。下り再送制御部１１６は、誤り検出部１１４により入力された誤り検出の結果に基づいて、下りリンクにおける再送制御を行う。例えば、下り再送制御部１１６は、誤り検出部１１４により検出された誤り検出結果に基づいて、後述する送達確認情報作成部１２４に対して、送達確認情報を作成するように命令する。例えば、下り再送制御部１１６は、入力された誤り検出結果に基づいて、受信データに誤りがない場合はACK信号を作成するように送達確認情報作成部１２４に命令し、誤りがある場合はNACK信号を作成するように送達確認情報作成部１２４に命令する。【０１４２】
また、本実施例に係る無線端末装置１００は、送達確認情報作成部１２４を有する。送達確認情報作成部１２４は、下り再送制御部１１６により入力された誤り検出結果に基づいて、送達確認情報を作成する。そして、送達確認情報作成部１２４は、作成した送達確認情報を符号化・変調部１３２に入力する。【０１４３】
また、本実施例に係る無線端末装置１００は、測定制御部１１０を有する。測定制御部１１０は、制御情報検出部１０８により入力された制御信号に基づいて、異周波数測定の制御を行う。例えば、測定制御部１１０は、後述する下り受信制御部１１８に対して、受信周波数を変更する命令を行う。また、測定制御部１０６は、無線回線品質測定部１０６に対して、変更された受信周波数における無線回線品質を測定するように命令する。【０１４４】
また、本実施例に係る無線端末装置１００は、下り受信制御部１１８を有する。下り受信制御部１１８は、制御信号検出部１０８において検出された制御信号に従って、復調・復号部１０４の設定を行う。また、下り受信制御部１１８は、測定制御部１１０による制御に従って、受信無線部１０２における受信周波数を変更する。【０１４５】
また、本実施例に係る無線端末装置１００は、上り送信／再送制御部１２０を有する。上り送信／再送制御部１２０は、制御信号検出部１０８により入力された制御信号に基づいて、上りリンクの信号の送信制御を行う。具体的には、上り送信／再送制御部１２０は、後述する符号化・変調部１３２及び送信無線部１３４の制御を行う。また、上り送信／再送制御部１２０は、送達確認情報抽出部１１２により入力された送達確認情報に基づいて、後述する送信データバッファ１２６に保持されているデータの再送又は削除を行う。例えば、送達確認情報抽出部１１２により入力された送達確認情報が肯定応答を含むものである場合、上り送信／再送制御部１２０は、送信データバッファ１２６に保持されている該当データの削除を行う。また、例えば、送達確認情報抽出部１１２により入力された送達確認情報が否定応答を含むものである場合、上り送信／再送制御部１２０は、送信データバッファ１２６に保持されている該当データの再送を行う。この場合、上り送信／再送制御部１２０は、送信データバッファ１２６に保持されている該当データを符号化・変調部１３２に入力する。【０１４６】
また、本実施例に係る無線端末装置１００は、無線回線品質情報作成部１３０を有する。無線回線品質情報作成部１３０は、無線回線品質測定部１０６により入力された無線回線品質に基づいて、無線回線品質情報を作成し、該作成した無線回線品質情報を符号化・変調部１３２に入力する。また、無線回線品質情報作成部１３０は、作成した無線品質情報を、後述する無線回線品質情報記憶部１２８に記憶する。【０１４７】
また、本実施例に係る無線端末装置１００は、無線回線品質情報記憶部１２８を有する。無線回線品質情報記憶部１２８は、無線回線品質情報作成部１３０により入力された無線回線品質情報を記憶する。【０１４８】
また、本実施例に係る無線端末装置１００は、制御信号作成部１２２を有する。制御信号作成部１２２は、制御信号を作成する。例えば、VoIPを用いた音声の伝送を要求する場合、その音声の伝送を要求する制御信号を作成する。この制御信号には、QoSクラスを示す制御信号、最大伝送遅延、最低伝送速度などの通信の属性を示す情報が含まれる。制御信号作成部１２２は、作成した制御情報を符号化・変調部１３２に入力する。【０１４９】
また、本実施例に係る無線端末装置１００は、送信データバッファ１２６を有する。送信データバッファ１２６は、入力された送信データを保持する。送信データバッファ１２６は、上り送信／再送制御部１２０による制御により、保持した送信データを再送する場合には、該送信データを符号化・変調部１３２に入力する。また、送信データバッファ１２６は、上り送信／再送制御部１２０による制御により、保持した送信データに対して肯定応答が送信された場合には、該当する送信データを削除する。【０１５０】
また、本実施例に係る無線端末装置１００は、符号化・変調部１３２を有する。符号化・変調部１３２は、入力されたデータに対して、符号化処理・変調処理を行う。【０１５１】
また、本実施例に係る無線端末装置１００は、送信無線部１３４を有する。送信無線部１３４は、符号化・変調部１３２において符号化処理・変調処理が行われたデータを無線周波数に変換し、アンテナを介して送信する。【０１５２】
無線端末装置１００が、音声をパケットとしたVoIPによる通信を行う場合について、説明する。【０１５３】
無線端末装置１００と無線基地局２００との間で、使用する送受信周波数の設定や同期が実施され、通信が確立される。【０１５４】
まず、無線端末装置１００は、無線基地局２００に対して、VoIPを用いた音声の伝送を要求する制御信号を送信する。この制御信号には、QoSクラスを示す情報、最大伝送遅延や最低伝送速度などの通信の属性を示す情報が含まれる。無線端末装置１００は、制御信号作成部１２２において、該制御信号を作成する。作成された制御情報は、上りリンク制御チャネルを用いて伝送される。具体的には、作成された制御信号は、符号化・変調部１３２で符号化され、変調が施された後、送信無線部１３４で無線周波数に変換され、アンテナを介して無線基地局２００へ送信される。QoSクラスには、コンバセーションクラス(Conversation  class)、ストリーミングクラス(streaming  class)などが含まれる。【０１５５】
また、無線端末装置１００は、無線基地局２００から送信されたパイロット信号を受信し、無線回線品質の測定を実施する。そして、無線端末装置１００は、無線回線品質の指標を無線基地局２００へ返送する。無線回線品質指標は、無線回線品質に基づいて、求められる。具体的には、無線端末装置１００の無線回線品質測定部１０６は、受信したパイロット信号に基づいて、無線回線品質の測定を実施する。そして、無線回線品質情報作成部１３０は、無線回線品質測定部１０６において測定された無線回線品質の指標が含まれる無線回線品質情報を作成する。【０１５６】
無線基地局２００は、スケジューラ２２０において、各無線端末装置１００から要求された通信の種類から、各無線端末装置１００に対して、セミパーティスタントスケジューリングの対象とすべきか、通常のスケジューリングの対象とすべきかを選択する。以後、セミパーティスタントスケジューリングとの区別のために、通常のスケジューリングをダイナミックスケジューリングと呼ぶ。ここで、通信の種類には、例えばQoS、データ伝送の種類が含まれる。更に、データ伝送の種類には、VoIP、低速データ伝送、高速データ伝送などが含まれる。【０１５７】
ここでは、VoIPであるため、低伝送遅延とする必要がある。このため、無線基地局２００は、スケジューリングによってある期間、一定周期で割り当てが行われるセミパーティスタントスケジューリングの対象とする。ここで、割り当てが行われるとは、通信対象として選択することを意味する。【０１５８】
また、スケジューラ２２０は、各セミパーティスタントスケジューリングの対象である各無線端末装置１００から送信された無線回線品質の指標に基づいて、通信を許可する無線端末装置を選択する。なお、会話の中断による無音期間が一定期間より長くなった場合や、その無線端末装置との無線回線品質が大きく変化した場合を除き、一旦選択された無線端末装置は、継続して選択される。【０１５９】
ここでは、ある無線端末装置UE1が選択された場合について、図３０を参照して説明する。【０１６０】
無線基地局(BS)２００のスケジューラ２２０は、ある無線端末装置(MS)１００から報告された無線回線品質指標に基づいて、送信パラメータを選択する。送信パラメータには、送信データ長、変調方式、符号化方式及び割り当て周期等が含まれる。無線基地局２００は、選択結果に基づいて、制御信号作成部２２２において、制御信号を作成する。作成された制御信号は、符号化・変調部２２８において符号化され、変調を施された後、送信無線部２３０で無線周波数に変換され、アンテナを介して無線端末装置１００へ送信される（ステップＳ３００２）。【０１６１】
この制御信号を受信した無線端末装置１００は、受信無線部１０２において、該制御信号をベースバンド信号に変換する。そして、復調・復号部１０４において、ベースバンド信号に変換された制御信号を復調し、復号を行う。制御信号検出部１０８は、復号された信号から制御信号を抽出し、抽出された制御信号を下り受信制御部１１８に入力する。下り受信制御部１１８は、制御信号検出部１０８において抽出された制御信号に従って、復調・復号部１０４の設定を行う。これにより、続いて無線基地局２００から無線端末装置１００に送信される送信データを受信可能となる。【０１６２】
また、無線基地局２００のスケジューラ２２０は、選択された送信パラメータに従って、送信データバッファ２２６からデータを取り出し、符号化・変調部２２８に入力する。符号化・変調部２２８は、入力されたデータを符号化し、変調を施し、送信無線部２３０に入力する。送信無線部２３０は、入力されたデータを無線周波数に変換し、アンテナを介して無線端末装置１００へ送信する（ステップＳ３００４）。【０１６３】
下りリンクの送信データを受信した無線端末装置１００は、受信無線部１０２において、受信信号をベースバンド信号に変換する。復調・復号部１０４は、ベースバンド信号に変換された受信信号の復調、復号を行う。誤り検出部１１４は、受信信号の復号結果に含まれるCRCを用いて受信データに誤りがあるかないかを確認する。誤り検出部１１４は、その確認結果を下り再送制御部１１６に入力する。下り再送制御部１１６は、入力された確認結果に基づいて、受信データに誤りがない場合はACK信号を作成するように送達確認情報作成部１２４に命令し、誤りがある場合はNACK信号を作成するように送達確認情報作成部１２４に命令する。送達確認情報作成部１２４は、下り再送制御部１１６による命令に従って、ACK信号又はNACK信号を作成し、符号化・変調部１３２に入力する。符号化・変調部１３２は、作成されたACK信号又はNACK信号を符号化し、変調を施し、送信無線部１３４に入力する。送信無線部１３４は、入力されたACK信号又はNACK信号を無線周波数に変換し、アンテナを介して無線基地局２００へ送信する（ステップＳ３００６）。
ここで、無線基地局２００に対して、NACK信号が送信された場合には、無線基地局２００から無線端末装置１００に向けて対応するデータが再送される。再送データを受信した無線端末装置１００は、受信データに誤りがあるかないかを判定し、同様にACK/NACK信号を無線基地局２００へ送信する。以下、無線端末装置１００から無線基地局２００へACKが送信されるか、無線基地局２００から無線端末装置１００への再送回数が上限に達するかのどちらかになるまで、再送が繰り返される。【０１６４】
ステップＳ３００８及びステップＳ３０１０においても、ステップＳ３００４及びステップＳ３００６と同様の処理が行われる。【０１６５】
無線基地局２００の測定制御部２２４は、無線端末装置１００において異周波数測定を実施させる必要ありと判断する。この場合、測定制御部２２４は、制御信号作成部２２２に対して、異周波数測定要求信号（測定要求）を作成するよう通知する。なお、異周波数測定要求は、下りリンクの送信の周期に依存しない。【０１６６】
測定制御部２２４により異周波数測定要求を作成する指示を受けた制御信号作成部２２２は、異周波数測定要求信号を作成する。そして、制御信号作成部２２２は、作成した異周波数測定要求信号を符号化・変調部２２８に入力する。符号化・変調部２２８は、制御信号作成部２２２により入力された異周波数測定要求信号を符号化し、変調の後、送信無線部２３０に入力する。送信無線部２３０は、入力された異周波数測定要求信号を無線周波数に変更し、アンテナを介して無線端末装置１００に送信する（ステップＳ３０１２）。【０１６７】
無線基地局２００は、該無線端末装置１００から報告された無線回線品質指標に基づいて、異周波数測定を行う場合に使用する送信パラメータを選択する。そして、無線基地局２００は、制御信号を作成する。作成された制御信号は、無線端末装置１００へ送信される（ステップＳ３０１４）。【０１６８】
ステップＳ３０１６及びステップＳ３０１８においても、ステップＳ３００４及びステップＳ３００６と同様の処理が行われる。【０１６９】
無線端末装置１００は、無線基地局２００により送信された異周波数測定要求を、受信無線部１０２でベースバンド信号に変換する。そして、復調・復号部１０４において、ベースバンド信号に変換された異周波数測定要求を復調し、復号する。そして、復号された異周波数測定要求は、制御信号検出部１０８に入力される。制御信号検出部１０８は、復号された異周波数測定要求から異周波数測定要求信号を抽出し、該異周波数測定要求信号を測定制御部１１０へ入力する。測定制御部１１０は、入力された異周波数測定要求に従って、下り受信制御部１１８及び無線回線品質測定部１０６を制御することにより、異周波数設定を実施する（ステップＳ３０２０）。例えば、下り受信制御部１１８は、受信無線部１０２における受信周波数の変更を行う。無線回線品質測定部１０６は、受信無線部１０２により変更された受信周波数における無線回線品質を測定する。【０１７０】
なお、異周波数設定は、下りリンクのデータの受信処理を行い、受信したデータに誤りがないことを確認し、無線基地局２００に対してACKを返送した後、実施される。【０１７１】
ここで、例えば下りリンクの送信に対して再送が実施されたとする。その結果、異周波数測定に必要な期間と、次の下りリンクの割り当てが衝突する可能性が生じたとする。すなわち、無線端末装置１００における下りリンクのデータの受信動作が、異周波数測定に必要とされる期間の中に含まれる。【０１７２】
この場合、無線基地局２００の再送制御部２１８は、対象となったデータの送信回数を確認する。そして、再送制御部２１８は、異周波数測定と次回の下りリンクの割り当てが重なることを検知する。再送制御部２１８は、スケジューラ２２０に対して、異周波数測定と次回の下りリンクの割当とが重なることを通知する。ここで、対象となったデータの送信回数は、初回送信の１回+再送回数により示される。以下、異周波数測定と次回の下りリンクの割当とが重なることを、衝突と呼ぶ。【０１７３】
スケジューラ２２０は、再送制御部２１８により衝突の通知を受けると、該当無線端末装置に対して異周波数測定を実施させるか、次の割り当てによる通信を実施するかを判断する。【０１７４】
スケジューラ２２０において、該当無縁端末装置に対して、異周波数測定を実施させると判断した場合、スケジューラ２２０は、次の割り当てを中止する（ステップＳ３０２２）。この場合、スケジューラ２２０は、制御信号作成部２２２に対して、割り当てしないことを示す制御信号を作成することを命令する。制御信号作成部２２２は、スケジューラ２２０により、割り当てをしないことを示す制御信号を作成する命令が入力された場合、該命令に従って、割り当てしないことを示す制御信号を作成する。作成された割り当て停止制御信号は、符号化・変調部２２８において、符号化され変調される。そして、変調された割り当て停止制御信号は、送信無線部２３０において無線周波数に変換され、アンテナを介して無線端末装置１００に送信される。【０１７５】
無線基地局２００により送信された割り当て停止制御信号は、無線端末装置１００に受信される。具体的には、該割り当て停止制御信号は、受信無線部１０２においてベースバンド信号に変換される。そして、ベースバンド信号に変換された割り当て停止制御信号は、復調・復号部１０４において、復調され、復号される。復号された割り当て停止制御信号は、制御信号検出部１０８に入力される。制御信号検出部１０８は、復号された割り当て停止制御信号から、割り当て停止制御信号を抽出し、該抽出した割り当て停止制御信号を測定制御部１１０に入力する。【０１７６】
測定制御部１１０は、入力された割り当て停止制御信号に基づいて、下り受信制御部１１８に対して、下りリンクのデータ受信処理を行うように命令する。下り受信制御部１１８は、測定制御部１１０による命令に従って、下りリンクのデータの受信処理を実施する。ここで、下りリンクのデータの受信処理には、該下りリンクのデータ受信、誤り検出及びACK/NACK送信が含まれる。【０１７７】
そして、測定制御部１１０は、入力された割り当て停止制御信号に基づいて、下り受信制御部１１８に対して、受信周波数の変更を実施するように命令する。下り受信制御部１１８は、測定制御部１１０による命令に従って、無線受信部１０２における受信周波数の変更を行う。また、測定制御部１１０は、無線回線品質測定部１０６に対して、変更された周波数における無線回線品質を測定するように命令する。無線回線品質測定部１０６は、測定制御部１１０による命令に従って、変更された周波数における無線回線品質を測定する。その結果、異周波数測定が実施される。【０１７８】
無線端末装置１００は、異周波数測定結果を、無線基地局２００に通知する（ステップＳ３０２４）。例えば、無線回線品質測定部１０６は、異周波数における受信品質を測定する。この受信品質には受信電界強度が含まれる。無線回線品質測定部１０６は、測定した受信品質を無線回線品質情報作成部１３０に入力する。無線回線品質情報作成部１３０は、入力された受信品質に基づいて、無線回線品質情報を作成する。作成された無線回線品質情報は、無線基地局２００に送信される。【０１７９】
無線基地局２００のスケジューラ２２０は、該無線端末装置１００から報告された無線回線品質指標に基づいて、送信パラメータを選択する。無線基地局２００は、選択結果に基づいて、制御信号作成部２２２において、制御信号を作成する。作成された制御信号は、無線端末装置１００に送信される（ステップＳ３０２６）。また、この制御信号には、無線端末装置１００にハンドオーバを実行させる情報が含まれてもよい。【０１８０】
なお、無線端末装置１００は、異周波数測定を、図３１の測定期間（１）に示されるように、下りリンクのデータの受信処理の終了後、実施してもよい。また、無線端末装置１００は、図３２の測定期間（２）に示されるように、異周波数測定を、下りリンクのデータの受信処理と無線回線品質報告処理とを実施した後に実施してもよい。ここで、無線回線品質報告処理には、パイロット信号を受信する処理が含まれる。また、無線回線品質報告処理には、無線回線品質を測定する処理が含まれる。また、無線回線品質報告処理には、無線回線品質指標を無線基地局に送信する処理が含まれる。【０１８１】
また、無線端末装置１００は、異周波数測定を、図３１及び図３２の測定期間（３）に示されるように、次の割り当て周期において実施してもよい。【０１８２】
無線端末装置１００が、異周波数測定を下りリンクのデータの受信処理の終了後、実施する場合及び異周波数測定を下りリンクのデータの受信処理と無線回線品質報告処理とを実施する場合の処理について、図３３を参照して説明する。【０１８３】
ステップＳ３３０２−Ｓ３３１２は、図３０を参照して説明したステップＳ３００２−Ｓ３０１２と同様である。【０１８４】
無線基地局２００は、該無線端末装置１００から報告された無線回線品質指標に基づいて、異周波数測定を行う場合に使用する送信パラメータを選択する。そして、無線基地局２００は、制御信号を作成する。作成された制御信号は、無線端末装置１００へ送信される（ステップＳ３３１４）。この制御信号には、測定期間が含まれる。【０１８５】
無線端末装置１００は、無線基地局２００により送信された制御信号に基づいて、測定期間を開始する（ステップＳ３３１６）。ここで、測定期間を開始するとは、異周波数測定を下りリンクのデータの受信処理の終了後に実施する処理を開始すること及び異周波数測定を下りリンクのデータ受信処理と無線回線品質報告処理の後に実施する処理を開始することをいう。【０１８６】
ステップＳ３３１８及びステップＳ３３２０においても、ステップＳ３００４及びステップＳ３００６と同様の処理が行われる。【０１８７】
無線端末装置１００は、無線基地局２００により送信された異周波数測定要求を、受信無線部１０２でベースバンド信号に変換する。そして、復調・復号部１０４において、ベースバンド信号に変換された異周波数測定要求を復調し、復号する。そして、復号された異周波数測定要求は、制御信号検出部１０８に入力される。制御信号検出部１０８は、復号された異周波数測定要求から異周波数測定要求信号を抽出し、該異周波数測定要求信号を測定制御部１１０へ入力する。測定制御部１１０は、入力された異周波数測定要求に従って、下り受信制御部１１８及び無線回線品質測定部１０６を制御することにより、異周波数設定を実施する（ステップＳ３３２２）。例えば、下り受信制御部１１８は、受信無線部１０２における受信周波数の変更を行う。無線回線品質測定部１０６は、受信無線部１０２により変更された受信周波数における無線回線品質を測定する。【０１８８】
無線端末装置１００において異周波数測定が行われている間は、無線基地局２００からのデータ送信は行われない（ステップＳ３３２４）。【０１８９】
無線端末装置１００は、異周波数測定結果を、無線基地局２００に通知する（ステップＳ３３２６）。【０１９０】
無線端末装置１００は、異周波数測定期間を終了する（ステップＳ３３２８）。【０１９１】
無線基地局２００は、該無線端末装置１００から報告された無線回線品質指標に基づいて、送信パラメータを選択する。無線基地局２００は、選択結果に基づいて、制御信号作成部２２２において、制御信号を作成する。作成された制御信号は、無線端末装置１００に送信される（ステップＳ３３３０）。【０１９２】
無線端末装置１００において異周波数測定が実施された場合、図２６及び図２７に示したように、無線基地局２００は、該割り当て停止によって送信できなかった下りリンクの送信データを、２つ後の割り当て周期において送信する。すなわち、２つ後の割り当て周期においては、もともと該割り当て周期において送信する予定であったデータと、無線端末装置１００において、異周波数測定が行われるために送信できなかった下りリンクの送信データとが送信される。以下、割り当て周期において割り当てる予定であったデータを本来の下りリンク送信データと呼ぶ。このようにすることにより、割り当てを停止した影響を低減できる。具体的には、割り当てを停止しなかったことで、送信できなかったデータの送信遅延を低減できる。また、下りリンクの送信データの欠落を防止することができる。【０１９３】
割り当て停止によって送信できなかった下りリンクの送信データを２つ後の割り当て周期において送信する場合において、図２６を参照して説明したように、無線基地局２０は、送信できなかったデータと本来の下りリンクの送信データとを時間的に連続して送信してもよい。また、割り当て停止によって送信できなかった下りリンクの送信データを２つ後の割り当て周期において送信する場合において、図２７を参照して説明したように、無線基地局２０は、送信できなかったデータと本来の下りリンクの送信データとを同時に送受信してもよい。この場合、送信できなかったデータと本来の下りリンクの送信データとを合わせて符号化してもよいし、別々に符号化してもよい。【０１９４】
本実施例では、無線基地局２００において衝突を検知する場合について説明したが、無線端末装置１００において衝突を検知するように構成するようにしてもよい。例えば、無線端末装置１００は、衝突を検知した場合、割り当てを停止するための制御信号を作成する。以後、割り当てを停止するための制御信号を割り当て停止要求信号と呼ぶ。そして、無線端末装置１００は、無線基地局１００へ割り当て停止要求信号を通知する。【０１９５】
例えば、無線端末装置１００の下り受信制御部１１８は、測定制御部１１０による異周波数測定の命令が入力されることにより衝突を検知する。下り受信制御部１１８は、衝突を検知した場合、該衝突を上り送信／再送制御部１２０に通知する。上り送信／再送制御部１２０は、割り当て停止要求信号を作成するように、制御信号作成部１２２に命令する。制御信号作成部１２２は、上り送信／再送制御部１２０による命令に従って、割り当て停止要求信号を作成する。制御信号作成部１２２において作成された割り当て停止要求信号は、符号化・変調部１３２及び無線送信部１３４を介して、無線基地局２００に送信される。【０１９６】
無線端末装置１００により送信された割り当て停止要求信号は、無線基地局２００に受信される。該無線基地局２００は、上述したように受信処理を実施する。そして、リクエスト情報抽出部２１６は、割り当て停止要求信号を抽出する。リクエスト情報抽出部２１６は、抽出したリクエスト情報抽出部２１６をスケジューラ２２０に入力する。スケジューラ２２０は、リクエスト情報抽出部２１６により入力された割り当て停止要求信号に従って、次の割り当て周期における割り当てを停止する。【０１９７】
また、スケジューラ２２０は、リクエスト情報抽出部２１６により入力された割り当て停止要求信号に従って、割り当て周期を変更するようにしてもよい。【０１９８】
スケジューラ２２０は、割り当てを停止することを決定した場合、割り当て停止情報を制御信号作成部２２２に入力する。制御信号作成部２２２は、スケジューラ２２０により入力された割り当て停止情報に基づいて、割り当て停止制御信号を作成し、無線端末装置１００に送信する。【０１９９】
また、スケジューラ２２０は、割り当て周期を変更すると決定した場合、該決定した割り当て周期を制御信号作成部２２２に入力する。制御信号作成部２２２は、スケジューラ２２０により入力された割り当て周期に基づいて、割り当て周期信号を作成し、無線端末装置１００に送信する。【０２００】
無線基地局２００により送信された割り当て停止制御信号又は割り当て周期制御信号は、無線端末装置１００に受信される。【０２０１】
無線端末装置１００は、受信した割り当て停止制御信号又は割り当て周期制御信号に従って、異周波数測定を実施する。【０２０２】
また、上述した実施例では、無線基地局２００から無線端末装置１００に対して異周波数測定要求を通知する場合について説明した。無線端末装置１００が異周波数測定の必要性を判断し、異周波数測定を実施してもよい。例えば、無線端末装置１００が現在接続中の無線基地局２００からの無線回線品質を測定し、該無線回線品質が閾値以下になった場合、異周波数測定が必要と判断し、異周波数測定を実施する。例えば、閾値は、無線基地局２００との通信における通信品質を確保することが見込めない無線回線品質に設定されるようにしてもよい。具体的には、測定制御部１１０は、無線回線品質測定部１０６により測定された無線回線品質を取得する。そして、測定制御部１１０は、取得した無線回線品質と閾値とに基づいて、異周波数測定が必要であるか否かを判断する。異周波数測定が必要であると判断した場合、無線端末装置１００は、無線基地局２００に対して異周波数測定を実施することを通知する。例えば、測定制御部１１０は、下り受信制御部１１８に対して、異周波数測定要求を送信することを通知する。下り受信制御部１１８は、測定制御部１１０による異周波数測定要求を送信する通知に従って、上り送信／再送制御部１２０に対して、異周波数測定要求を送信する命令を行う。上り送信／再送制御部１２０は、下り受信制御部１１８による命令に従って、制御信号作成部１２２に対して、異周波数測定要求を作成する命令を行う。制御信号作成部１２２は、上り送信／再送制御部１２０による命令に従って、異周波数測定要求を作成する。作成された異周波数測定要求は、無線基地局２００に送信される。【０２０３】
無線基地局２００は、無線端末装置１００により送信された異周波数測定要求を受信する。無線基地局２００は、異周波数測定要求に含まれる異周波数測定と、該無線基地局２００による下りリンクのデータの割り当てとが衝突するか否かを判断する。無線基地局２００は、異周波数測定と、下りリンクのデータの割り当てとが衝突することを検知した場合、該無線端末装置に対する下りリンクのデータの割り当てを停止する。【０２０４】
また、無線端末装置１００側で衝突を検知した場合には、無線基地局２００に対して、割り当て停止要求を送信するようにしてもよい。例えば、無線端末装置１００の測定制御部１１０は、下り受信制御部１１８に対して、割り当て停止要求を送信することを通知する。下り受信制御部１１８は、測定制御部１１０による割り当て停止要求を送信する通知に従って、上り送信／再送制御部１２０に対して、割り当て停止要求を送信する命令を行う。上り送信／再送制御部１２０は、下り受信制御部１１８による命令に従って、制御信号作成部１２２に対して、割り当て停止要求を作成する命令を行う。制御信号作成部１２２は、上り送信／再送制御部１２０による命令に従って、割り当て停止要求を作成する。作成された割り当て停止要求は、無線基地局２００に送信される。【０２０５】
また、上述した実施例においては、無線基地局２００から無線端末装置１００への下りリンクのデータを伝送する場合について説明したが、無線端末装置１００から無線基地局２００への上りリンクのデータを伝送する場合においても適用することができる。【０２０６】
本実施例によれば、無線端末装置１００において行われる異周波数測定と、無線基地局２００における上りリンクのデータ及び下りリンクのデータの割り当てとが衝突することがなくなる。このため、無線端末装置１００は、異周波数測定を確実に実施できる。その結果、無線端末装置１００は、異周波数ハンドオーバの実施が容易となる。
（第２の実施例）
本実施例に係る無線通信システムの構成は、図２５を参照して説明した構成と同様である。また、本実施例に係る無線基地局及び無線端末装置の構成は、それぞれ図２８及び図２９を参照して説明した構成と同様である。【０２０７】
本実施例に係る無線通信システムでは、送信回数に基づいて、異周波数測定期間を確保する。本実施例に係る無線通信システムでは、再送回数に基づいて、異周波数測定期間を確保するようにしてもよい。【０２０８】
上述した第１の実施例においては、無線端末装置１００は、無線基地局２００により送信された異周波数測定要求を受信した場合に異周波数測定を実施する場合について説明した。【０２０９】
また、上述した第１の実施例においては、無線端末装置１００は、異周波数測定の必要性を判断した場合に、異周波数測定を実施する場合について説明した。【０２１０】
また、上述した第１の実施例においては、無線端末装置１００は、異周波数測定を、下りリンクの伝送データの受信処理を実施した後、次の下りリンクの伝送データの受信処理を実施するまでの間で実施する場合について説明した。ここで、下りリンクの伝送データの受信処理を実施した後、次の下りリンクの伝送データの受信処理を実施するまでの期間を、異周波数測定可能期間と呼ぶようにしてもよい。【０２１１】
また、上述した第１の実施例では、無線基地局２００は、次の周期の割り当てを停止(中止)することにより、無線端末装置１００における異周波数測定可能期間を伸長させる場合について説明した。【０２１２】
しかし、上述した実施例では、再送回数の増加に伴って、無線端末装置１００における異周波数測定可能期間が短縮される場合がある。その結果、異周波数測定の実施が厳しくなる。【０２１３】
そこで、本実施例に係る無線通信システムにおいては、無線端末装置１００において異周波数測定が実施される場合には、無線基地局２００は、下りリンクのデータの最大再送回数を設定する。そして、無線基地局２００は、最大再送回数に達した場合には、再送を行わない。本実施例では、一例として、下りリンクのデータ伝送について、図３４を参照して説明する。上りリンクのデータ伝送にも適用できる。【０２１４】
ステップＳ３４０２−Ｓ３４１０は、図３０を参照して説明したステップＳ３００２−Ｓ３０１０と同様である。【０２１５】
無線基地局２００から下りリンクの伝送データを無線端末装置１００に送信する際に、無線基地局２００の再送制御部２１８は、対象となったデータの送信回数をカウントする。以後、無線基地局２００は、上述したように無線端末装置１００から伝送されるACK/NACK信号を用いて再送制御を実施する。この場合、無線基地局２００は、無線端末装置１００において異周波数測定が実施される期間内では、最大再送回数Ｎｔｒａｎｓを設定する。そして、無線基地局２００は、該最大送信回数に達した場合、対象となったデータの再送を行わない。【０２１６】
無線基地局２００が、無線端末装置１００に対して異周波数測定を要求した場合又は無線端末装置１００から無線基地局２００に対して異周波数測定要求が通知された場合、無線基地局２００は、異周波数測定期間中は、再送制御部２１８において、最大送信回数Ｎｔｒａｎｓが設定される。【０２１７】
無線基地局２００は、異周波数測定要求信号を無線端末装置１００に送信する（ステップＳ３４１２）。ここで、異周波数測定要求信号には最大再送回数設定通知が含まれるようにしてもよい。この最大再送回数設定通知には、最大再送回数が含まれる。【０２１８】
例えば、最大送信回数Ｎｔｒａｎｓは、異周波数測定を実施する無線端末装置１００との間の無線回線品質に基づいて、設定されてもよい。また、最大送信回数Ｎｔｒａｎｓは、割り当て周期に基づいて設定されてもよい。また、最大送信回数Ｎｔｒａｎｓは、上位局からの制御信号に基づいて、設定されてもよい。以後、無線基地局２００が、無線端末装置１００に対して異周波数測定を要求した場合又は無線端末装置１００から無線基地局２００に対して異周波数測定が通知された場合を、異周波数測定を要求した場合と呼ぶ。 ここで、異周波数測定期間の終期とは、異周波数測定の終了である。【０２１９】
無線基地局２００は、該無線端末装置１００から報告された無線回線品質指標に基づいて、異周波数測定を行う場合に使用する送信パラメータを選択する。そして、無線基地局２００は、制御信号を作成する。作成された制御信号は、無線端末装置１００へ送信される（ステップＳ３４１４）。この制御信号には、測定期間が含まれる。【０２２０】
セミパーティスタントスケジューリングが実施されることにより、無線基地局２００から無線端末装置１００に対して、下りリンクの送信データが一定周期で送信される。このとき、ある特定の下りリンクの送信データ（データ＃１と略す）が、無線基地局２００からある無線端末装置１００に送信される。スケジューラ２２０において、下りリンクの送信の割り当てが行われる。また、スケジューラ２２０は、該下りリンクの送信方法を選択する。また、スケジューラ２２０は、上述したように下りリンクの送信のための送信制御信号を作成するように制御信号作成部２２２に命令する。制御信号作成部２２２は、スケジューラ２２０による命令に従って、送信制御信号を作成し、送信する。その結果、送信制御信号が、無線端末装置１００に送信される。尚、この送信制御信号には、新規送信か再送かを示す情報が含まれる。【０２２１】
無線端末装置１００は、無線基地局２００により送信された制御信号に基づいて、測定期間を開始する（ステップＳ３４１６）。【０２２２】
無線端末装置１００は、無線基地局２００により送信された制御信号に基づいて、最大再送回数を設定する（ステップＳ３４１８）。【０２２３】
ステップＳ３４２０及びステップＳ３４２２においても、ステップＳ３００４及びステップＳ３００６と同様の処理が行われる。【０２２４】
無線基地局２００は、データ１を、選択した変調方式及び符号化方式（符号化方法）を用いて無線端末装置１００へ送信する。このときスケジューラ２２０は再送制御部２１８に対して、送信回数が1回であることを通知する。再送制御部２１８は、データ１が1回送信されたことを記憶する。また、再送に備え、送信したデータ１又は符号化されたデータ１´は送信バッファに記憶される。【０２２５】
無線端末装置１００は、データ１を上述した方法と同様の方法により受信する。そして、無線端末装置１００は、受信データに誤りがあることを識別する。無線端末装置１００は、受信データに誤りがあると識別した場合、無線基地局２００に対してNACKを送信する。【０２２６】
無線基地局２００は、無線端末装置１００から送信されたNACKを、送達確認情報抽出部２１０において抽出する。送達確認情報抽出部２１０は、抽出したNACKを、再送制御部２１８に入力する。再送制御部２１８は、送達確認情報抽出部２１０によりNACKが入力された場合、スケジューラ２２０に対して再送を要求する。スケジューラは、該当するデータの再送を行うために、送信データバッファ２２６に記憶されたデータ１又はデータ１´を読み出す。読み出されたデータ１又はデータ１´は、上述した処理と同様の処理により、符号化され、変調され、無線周波数に変換され、無線端末装置１００に送信（再送）される。また、スケジューラ２２０は、再送制御部２１８に対して、データ１又はデータ１´を再送したことを通知する。再送制御部２１８は、スケジューラ２２０により、データ１又はデータ１´を再送したことが通知された場合、送信回数をカウントアップし記憶する。【０２２７】
また、基地局装置２００は、他のデータに対しても同様に送信回数を記憶し、送信回数の統計処理を実施し記憶するようにしてもよい。送信回数の統計処理には、例えば、送信回数の分布算出や平均送信回数の算出などが含まれる。【０２２８】
無線端末装置１００は、無線基地局２００により送信された異周波数測定要求を、受信無線部１０２でベースバンド信号に変換する。そして、無線端末装置１００は、復調・復号部１０４において、ベースバンド信号に変換された異周波数測定要求を復調し、復号する。そして、復号された異周波数測定要求は、制御信号検出部１０８に入力される。制御信号検出部１０８は、復号された異周波数測定要求から異周波数測定要求信号を抽出し、該異周波数測定要求信号を測定制御部１１０へ入力する。測定制御部１１０は、入力された異周波数測定要求に従って、下り受信制御部１１８及び無線回線品質測定部１０６を制御することにより、異周波数設定を実施する（ステップＳ３４２４）。例えば、下り受信制御部１１８は、受信無線部１０２における受信周波数の変更を行う。無線回線品質測定部１０６は、受信無線部１０２により変更された受信周波数における無線回線品質を測定する。【０２２９】
無線端末装置１００において異周波数測定が行われている間は、無線基地局２００は、該無線端末装置１００に対して、データ送信は行わない（ステップＳ３４２６）。【０２３０】
無線端末装置１００は、異周波数測定結果を、無線基地局２００に通知する（ステップＳ３４２８）。【０２３１】
無線端末装置１００は、測定期間を終了する（ステップＳ３４３０）。【０２３２】
無線端末装置１００は、最大再送回数の設定を解除する（ステップＳ３４３２）。【０２３３】
無線基地局２００は、該無線端末装置１００から報告された無線回線品質指標に基づいて、送信パラメータを選択する。無線基地局２００は、選択結果に基づいて、制御信号作成部２２２において、制御信号を作成する。作成された制御信号は、無線端末装置１００に送信される（ステップＳ３４３４）。【０２３４】
以後、一例として、無線端末装置１００は、Ｎ回（Ｎは、Ｎ>０の整数）、ＮＡＣＫを返送する場合について説明する。この場合、無線基地局２００は、Ｎ回データ１´を送信し、そのうち、再送はＮ−１回である。例えば、Ｎ回目の送信に対して、無線端末装置１００が再びＮＡＣＫを返送したとする。このとき、無線基地局２００は、再送制御部２１８において、最大送信回数Ｎｔｒａｎｓと送信回数Ｎとを比較する。無線基地局２００は、Ｎ≧Ｎｔｒａｎｓである場合、送信を停止すると判断する。Ｎｔｒａｎｓは、再送に要する時間と、測定可能時間と測定時間との差とに基づいて決定される。送信を停止すると判断した場合、再送制御部２１８は、スケジューラ２２０に対して、記憶された再送中のデータを破棄するように命令する。【０２３５】
また、例えば、Ｎｔｒａｎｓ＝１に設定された場合には、初回送信のみとなる。すなわち再送は実施されない。このように、Ｎｔｒａｎｓ＝１に設定された場合には、再送が実施されないことによって、データの欠落が生じる。この対策としては、以下の処理を実施するようにしてもよい。【０２３６】
基地局装置２００は、符号化率の変更を行うようにしてもよい。初回送信だけで誤りなくデータ伝送を実施できれば、再送は実施されない。例えば、同じ無線回線品質であれば、誤り訂正能力を増加させることで、誤りなく伝送できる。すなわち、無線基地局２００は、符号化率を低くする。これにより、再送の必要性が低くなり、再送しなくてもよい確率を増大できる。ここで、符号化率とは、データとパリティとの比率により示される。例えば、通常通信時の符号化率が１／３である場合について説明する。この場合に、無線基地局２００は、異周波数測定が要求された場合は、該１／３よりも符号化率を低くする。例えば、無線基地局２００は、符号化率を１／５とする。このように符号化率を低下させることにより、誤り訂正能力を向上させることができる。【０２３７】
また、基地局装置２００は、割り当てを増加させるようにしてもよい。【０２３８】
伝送可能な情報量と比較して、伝送可能な情報量を増加させることができれば、符号化率を低下させ易くなる。つまり、同じデータ量を伝送するのであれば、使用可能な無線リソースを増加させることにより、符号化率を低下させ易くなる。ここで、無線リソースは、例えば、時間方向、周波数方向、拡散符号などを含む。そこで、無線基地局２００は、異周波数測定が要求された場合、通常と比較して、より多くの割り当てを実施する。具体例としては、ＯＦＤＭＡが適用されたシステムにおいて、通常時に割り当てられるサブキャリア数が１２サブキャリアである場合に、異周波数測定が要求された場合は、該サブキャリア数よりも多い、例えば、２４サブキャリアとすることにより、無線リソースを増加させることができる。このように、無線リソースを増加させることにより、符号化率の変更が容易となる。【０２３９】
以上より、再送を実施しないようにしても、その影響を低減できる。【０２４０】
また、最大送信回数を規定することにより、下りリンクの送信データの受信動作終了から次の下りリンクの送信データの受信までの期間を伸長することが可能となる。その結果、無線端末装置１００は、異周波数測定期間の確保が容易となり、異周波数測定を確実に実施することが可能となる。【０２４１】
また、無線基地局２００は、最大送信回数Ｎｔｒａｎｓの代わりに、最大再送回数Ｎｒｅｔａｎｓを用いるようにしてもよい。この場合、初回送信時は、Ｎｒｅｔａｎｓ＝０となる。【０２４２】
また、最大再送回数Ｎｔａｎｓ２を設定するようにしてもよい。この場合、無線端末装置１００は、無線基地局２００に対してACKを送信するまでに要した送信回数Ｎ２と最大再送回数Ｎｔａｎｓ２とを比較する。Ｎ２≧Ｎｔａｎｓ２である場合、無線端末装置１００は、異周波数測定を中止するようにしてもよい。これにより、割り当てと異周波数測定の衝突を回避できる。例えば、Ｎｔａｎｓ２は、再送に要する時間と、測定可能時間と測定時間との差に基づいて決定される。【０２４３】
逆に、最大再送回数Ｎｔａｎｓ３を設定するようにしてもよい。この場合、無線端末装置１００は、無線基地局２００に対してACKを送信するまでに要した送信回数Ｎ３と最大再送回数Ｎｔａｎｓ３とを比較する。Ｎ３<Ｎｔａｎｓ３である場合、無線端末装置１００は、異周波数測定を実施するようにしてもよい。これにより、無線基地局２００における割り当てと無線端末装置１００における異周波数測定の衝突を回避できる。その結果、異周波数測定期間を確保でき、異周波数測定を確実に実施できる。例えば、Ｎｔａｎｓ３は、再送に要する時間と、測定可能時間と測定時間との差に基づいて決定される。【０２４４】
また、異周波数測定期間ではない通常時の下りリンクのデータ伝送においても、最大送信回数Ｎｎｏｒｍａｌを規定してもよい。この場合、Ｎｎｏｒｍａｌ≧Ｎｔｒａｎｓを満たす場合に、異周波数測定期間の確保が容易となる。そして、上述した場合と同様に、異周波数測定を確実に実施することが可能となる。【０２４５】
また、無線端末装置１００は、送信回数の統計処理として、ある一定期間に送信したデータの固まり、つまりパケットの数に対して、再送を要求した確率Ｐｒｅｔｒａｎｓ（以後、再送実施確率と呼ぶ）を算出するようにしてもよい。この場合、無線端末装置１００は、この再送実施確率Ｐｒｅｔｒａｎｓと再送実施確率閾値Ｐｒｅｔｒａｎｓ＿ｔｈとを比較する。Ｐｒｅｔｒａｎｓ≧Ｐｒｅｔｒａｎｓ＿ｔｈである場合、再送が発生する可能性が高くなると予測できる。この場合、無線端末装置１００は、異周波数測定期間を確保することが厳しい状況であると判断し、異周波数測定を中止する。また、無線端末装置１００は、異周波数測定を中止することを示す測定中止要求信号を制御信号として作成し、無線基地局２００に送信する。【０２４６】
測定中止要求信号を受信した無線基地局２００は、対象となった無線端末装置１００に対する割り当てを通常通り実施する。すなわち、割り当てと異周波数測定が衝突しないため、割り当てを停止する必要がない。これにより、割り当てと異周波数測定の衝突を回避できる。【０２４７】
以上により、本実施例によれば、割り当てと異周波数測定の衝突を回避でき、異周波数測定期間を確保できる。その結果、異周波数測定を確実に実施できる。【０２４８】
また、異周波数測定を中止することにより、割り当てと異周波数測定の衝突を回避できる。【０２４９】
なお、第１の実施例において説明した異周波数測定期間とデータ送信割り当てが重ならないように、送信割り当てを停止する動作を合わせて実施するようにしてもよい。
（第３の実施例）
本実施例に係る無線通信システムの構成は、図２５を参照して説明した構成と同様である。また、本実施例に係る無線基地局及び無線端末装置の構成は、それぞれ図２８及び図２９を参照して説明した構成と同様である。【０２５０】
本実施例に係る無線通信システムでは、上りリンク／下りリンクにおけるデータ伝送に関する制御信号の送受信を制御する。このようにすることにより、異周波数測定期間を確保することができる。【０２５１】
上述した第１の実施例においては、無線基地局２００から無線端末装置１００に対して異周波数測定要求が通知された場合について説明した。また、第１の実施例においては、無線端末装置１００が異周波数測定の必要性を判断した場合に、異周波数測定を実施する場合について説明した。また、第１の実施例においては、異周波数測定は、下りリンクの伝送データの受信処理を実施した後、次の下りリンクの伝送データの受信処理を実施するまでの間(以後、異周波数測定可能期間と呼ぶ)で実施する場合について説明した。また、第１の実施例においては、次の周期の割り当てを停止(中止)することにより、異周波数測定可能期間を伸長した場合について説明した。【０２５２】
上述した第２の実施例においては、下りリンクのデータ伝送の送信回数(再送回数)に基づいて、異周波数測定期間を伸長する場合について説明した。【０２５３】
本実施例においては、下りリンクのデータ伝送に対する制御信号の伝送処理を制御する。このようにすることにより、異周波数測定期間を伸長する。制御信号の伝送処理とは、下りリンクのデータ伝送に対して、以下の処理のうち少なくとも１つが行われることである。
ａ）無線端末装置１００が、無線基地局２００から送信されるパイロット信号を受信し、無線回線品質を測定する無線回線品質測定処理
ｂ）無線端末装置１００が、測定した無線回線品質から無線回線品質指標を算出し、無線基地局２００に対して返送する無線回線品質指標報告処理
ｃ）無線端末装置１００が、下りリンクのデータ伝送に対するACK/NACK信号を無線基地局２００へ返送する処理
また、制御信号の伝送処理とは、上りリンクのデータ伝送に対して、以下の処理のうち少なくとも１つが行われることである。
ｄ）無線基地局２００が上りリンクのデータ伝送に対するACK/NACK信号を無線端末装置１００へ返送する処理
ｅ）無線端末装置１００が、上りリンクの無線回線品質を測定するために必要なパイロット信号を、無線基地局２００へ送信するパイロット送信処理（なお、このパイロット信号は、現在使用中の帯域など、特定な帯域に限定したパイロットである）
ｆ）無線端末装置１００が、上りリンクのシステム帯域に渡って無線回線品質を測定するために必要なサウンディングパイロットを、無線基地局２００へ送信するサウンディングパイロット送信処理
ここで、サウンディングパイロットは、システム帯域全体の無線回線品質を測定するためのパイロットである。ここで、無線端末装置２００は、サウンディングパイロットを、全帯域同時に送信しなくてもよい）
ｇ）無線端末装置１００が、サウンディングパイロットを送信する場合に、システム帯域に対して全帯域に対して同時に送信するのではなく、現在使用しているシステム帯域など特定な帯域に対してのみ送信するサウンディングパイロットの送信処理
ｈ）無線端末装置１００が、無線基地局２００へ上りリンクのデータ送信することを要求する割り当て要求信号送信処理
ｉ）無線端末装置１００が、グラント(Grant)信号を受信するGrant信号受信処理
ここで、グラント信号には、上りリンクのデータ送信の許可や送信方法などが含まれる
これらの制御信号は、下りリンク又は上りリンクのデータ送信後に必ず実施される。また、これらの制御信号は、処理の周期によっては、下りリンク又は上りリンクのデータ送信後に送信されてもよい。すなわち、これらの処理を実施後でないと、無線端末装置１００は、異周波数測定を実施できない。異周波数測定期間中は、使用送受信周波数が異なってしまうため、在圏する無線基地局２００との間でのデータの送受信が不可能となるためである。【０２５４】
無線基地局２００から無線端末装置１００に対して異周波数測定を要求した場合、無線端末装置１００から無線基地局２００に対して異周波数測定要求が通知された場合には、上述した（ａ）−（ｉ）の９つの処理が制限される。【０２５５】
図３５を参照して、説明する。【０２５６】
ステップＳ３５０２−Ｓ３５１０は、図３０を参照して説明したステップＳ３００２−Ｓ３０１０と同様である。【０２５７】
ステップＳ３５１２−Ｓ３５１６は、図３４を参照して説明したステップＳ３４１２−Ｓ３４１６と同様である。【０２５８】
ステップＳ３５１８−Ｓ３５２４は、図３４を参照して説明したステップＳ３４２０−Ｓ３４２６と同様である。【０２５９】
無線基地局２００は、下りリンクのデータ伝送に対する無線回線品質測定処理や無線回線品質指標報告処理を停止する（ステップＳ３５２６）。これにより、無線端末装置１００は、異周波数測定可能期間を伸長することが可能となる。このため、無線端末装置１００は、異周波数測定期間の確保が容易となり、異周波数測定を確実に実施することが可能となる。【０２６０】
また、無線回線品質測定処理及び無線回線品質指標報告処理を停止することにより、無線基地局２００のスケジューラ２２０は、次の割り当てにおける送信パラメータの選択ができなくなる。そこで、無線端末装置１００において異周波数測定が要求された場合、無線基地局２００のスケジューラ２２０は、直近の無線回線品質指標を記憶し、異周波数測定が終了するまで、この無線回線品質指標を利用しスケジューリングを実施するようにしてもよい。【０２６１】
また、通常時の無線端末装置１００による無線回線品質指標報告は、無線基地局２００が制御信号で指示した報告周期で行われている。この場合、無線基地局２００が報告処理を停止することによって、無線端末装置１００が有する報告周期と無線基地局２００が有する報告周期とが合わなくなってしまう場合がある。そこで、無線基地局２００の測定制御部２２４は、報告周期をリセットする。そして、測定制御部２２４は、報告周期をリセットしたことを示す報告周期のリセット信号を作成するように、制御信号作成部２２２に命令する。制御信号作成部２２２は、測定制御部２２４による命令に従って、報告周期のリセット信号を作成し、無線端末装置１００に通知する。又は、無線端末装置１００における異周波数測定処理の終了後に、無線基地局２００は、報告周期を再設定するようにしてもよい。例えば、スケジューラ２２０は、無線端末装置１００における異周波数測定処理の終了後に、報告周期を再設定する。そして、スケジューラ２２０は、再設定した報告周期が含まれる報告周期設定信号を作成するように、制御信号作成部２２２に命令する。制御信号作成部２２２は、スケジューラによる命令に従って、再設定した報告周期が含まれる報告周期設定信号を作成し、無線端末装置１００へ通知する。【０２６２】
ステップＳ３５２８−Ｓ３５３０は、図３４を参照して説明したステップＳ３４２８−Ｓ３４３０と同様である。【０２６３】
ステップＳ３５３２は、図３４を参照して説明したステップＳ３４３４と同様である。【０２６４】
このように、無線端末装置１００は、無線回線品質指標を報告する処理を停止する。その結果、無線基地局２００のスケジューラ２２０は、下りリンクのデータ送信の割り当てを行わない。よって、該無線端末装置１００に対する下りリンクのデータ送信が実施されない。この下りリンクのデータ送信が実施されないことを防ぐために、異周波数測定要求がされた場合には、該異周波数測定が終了するまで、無線基地局２００は、異周波数測定要求の直前に通知された無線回線品質指標を、スケジューラ２２０の内部に記憶する。また、無線基地局２００は、異周波数測定要求の直前に通知された無線回線品質指標を、測定制御部２２４の内部に記憶しておくようにしてもよい。【０２６５】
また、無線基地局２００は、移動端末装置１００における異周波数測定が終了するまで、異周波数測定要求の直前の下りリンクの無線回線品質指標を記憶する。そして、無線基地局２００は、該記憶された下りリンクの無線品質指標に基づいて、スケジューラ２２０において、下りリンクのデータ送信の割り当てと送信パラメータを選択する。以上より、無線回線品質指標の報告処理を停止したことによる影響を低減できる。【０２６６】
なお、この場合、異周波数測定終了まで、下りリンクのデータに対する送信割り当てと、該下りリンクのデータに対する送信パラメータとは同一となる。【０２６７】
また、無線端末装置１００は、割り当て毎に下りリンクの制御チャネルを用いて伝送される下りリンクの送信パラメータを、記憶し、利用するようにしてもよい。このようにすることで、無線基地局２００は、異周波数測定が終了するまで、下りリンクの制御チャネルを用いて下りリンクの送信パラメータを通知する必要がない。【０２６８】
また、無線端末装置１００は、下りリンクのデータ伝送に対するACK/NACKを無線基地局２００へ返送しないようにしてもよい。これにより、異周波数測定可能期間を伸長させることができる。そして、無線端末装置１００は、異周波数測定期間の確保が容易となり、異周波数測定を確実に実施することが可能となる。【０２６９】
ただし、HSDPAが適用されるシステム等では、ACK/NACKが受信されるタイミングにおいて、ACK/NACKを受信できなかった場合には、無線基地局２００は、NACKと判断し、再送を実施する。ACK/NACKを受信できなかった場合には、無線端末装置がACK/NACKを送信しなかった場合が含まれる。そのため、無線端末装置１００がACK/NACKを送信しなかった場合、無線基地局２００は、該当するデータの再送を実施する。そこで、無線基地局２００は、無線端末装置１００から、異周波数測定が要求された場合に、ACK/NACKが受信されるタイミングにおいて、ACK/NACKを受信できなかった場合は、ACKと判断するようにしてもよい。また、無線基地局２００は、無線端末装置１００から、異周波数測定が要求された場合に、無線端末装置１００がACK/NACKを送信しなかった場合は、ACKと判断するようにしてもよい。
また、無線端末装置１００がACK/NACKを送信しなかった場合は、このようにすることに、再送が実施されることを防止できる。【０２７０】
同様にして、上りリンクのデータ伝送に対して、無線基地局２００がACK/NACKを無線端末装置１００に返送しないようにしてもよい。この場合、無線基地局２００がACK/NACKを返送しないことにより、無線端末装置１００は再送を実施しない。このため、データ欠落が生じる恐れがある。これに対しては、上述した第２の実施例において説明した方法を適用することで、再送を停止することによる影響を低減できる。【０２７１】
上りリンクのデータ伝送について説明する。【０２７２】
上りリンクのデータ伝送を行う場合の無線基地局２００について、図３６を参照して説明する。【０２７３】
上りリンクのデータ伝送を行う場合の無線基地局２００は、図２８を参照して説明した無線基地局２００に、上りリンクのスケジューリングを行うスケジューラ２３２を有する。図３６には、図２８に示される無線基地局の一部分が示される。【０２７４】
スケジューラ２３２は、リクエスト情報検出部２１６により入力されたリクエスト情報及び回線品質測定部２１４により入力された上りリンクの回線品質に基づいて、スケジューリングを行う。スケジューラ２３２は、制御信号作成部２２２に対して、無線端末装置１００に割り当てる無線リソースの情報が含まれる制御信号を作成するように命令する。制御信号作成部２２２は、スケジューラ２３２による命令に従って、無線端末装置１００に割り当てる無線リソースの情報が含まれる制御信号を作成し、送信する。【０２７５】
上りリンクのデータ伝送を行う場合の無線端末装置１００について、図３７を参照して説明する。【０２７６】
上りリンクのデータ伝送を行う場合の無線端末装置１００は、図２９を参照して説明した無線端末装置１００に、送信制御部１３６と、再送制御部１３８とを有する。送信制御部１３６は、制御信号検出部１０８により入力された制御情報に従って、上りリンクの信号を送信するように制御する。図３７には、図２９を参照して説明した無線端末装置の一部分が示される。【０２７７】
例えば、送信制御部１３６は、制御情報に従って、送信無線部１３４及び符号化・変調部１３２を制御する。そして、送信制御部１３６は、送信データバッファ１２６に格納されたデータを取り出し、符号化・変調部１３２に入力する。再送制御部１３８は、送達確認情報抽出部１１２により入力された送達確認情報に基づいて、再送制御を行う。例えば、再送制御部１３８は、送信制御部１３６に対して、否定応答に該当するデータを再送するように命令する。【０２７８】
また、上りリンクのデータ伝送に際して、無線基地局２００のスケジューラ２３２は、上りリンクの送信を割り当てる無線端末装置１００を選択する。また、上りリンクのデータ伝送に際して、無線基地局２００のスケジューラ２３２は、上りリンクの送信に割り当てる無線端末装置１００に対する送信パラメータを選択する。このため、無線基地局２００は、また送信パラメータを選択するために、上りリンクの無線回線品質測定処理及び無線回線測定結果を用いた無線回線品質指標算出処理を行う。また、これらの処理を、無線基地局２００が実施できるように、無線端末装置１００は無線基地局２００に対してパイロット信号を送信する。【０２７９】
本実施例では、異周波数測定が要求された無線端末装置１００は、無線基地局２００に対するパイロット送信を停止する。また、無線基地局２００は、その無線端末装置１００からのパイロット信号の受信を停止する。また、無線基地局２００は、上りリンクの無線回線品質測定及び上りリンクの無線回線品質指標の算出を停止する。【０２８０】
このようにすることにより、無線端末装置１００は、異周波数測定可能期間を伸長させることができる。このため、無線端末装置１００は、異周波数測定期間の確保が容易となり、異周波数測定を確実に実施することが可能となる。【０２８１】
図３８を参照して、説明する。【０２８２】
無線基地局２００は、上りリンクのパイロット送信周期を無線端末装置１００に通知する（ステップＳ３８０２）。【０２８３】
無線端末装置１００は、無線基地局２００により通知された上りリンクのパイロット送信周期に従って、上りリンクのパイロットを送信する（ステップＳ３８０４）。【０２８４】
無線基地局２００は、上り周期割り当て通知信号を無線端末装置１００に通知する（ステップＳ３８０６）。【０２８５】
無線基地局２００は、上り個別制御信号を無線端末装置１００に通知する（ステップＳ３８０８）。【０２８６】
無線端末装置１００は、上りリンクのデータを、無線基地局２００に送信する（ステップＳ３８１０）。【０２８７】
無線基地局２００は、上りリンクに対する送達確認情報を、無線端末装置１００に送信する。【０２８８】
ステップＳ３８１４−Ｓ３８２０は、ステップＳ３８０４−Ｓ３８１２と同様である。【０２８９】
無線基地局２００は、測定要求信号を無線端末装置１００に送信する（ステップＳ３８２２）。ここで、測定要求信号には最大再送回数設定通知が含まれるようにしてもよい。この最大再送回数設定通知には、最大再送回数が含まれる。【０２９０】
無線基地局２００は、上りリンク周期割り当てを行う（ステップＳ３８２４）。この制御信号には、測定期間が含まれる。【０２９１】
無線端末装置１００は、無線基地局２００により送信された制御信号に基づいて、測定期間を開始する（ステップＳ３８２６）。【０２９２】
無線端末装置１００は、無線基地局２００により送信された制御信号に基づいて、最大再送回数を設定する（ステップＳ３８２８）。【０２９３】
ステップＳ３８３０−Ｓ３８３４は、ステップＳ３８０８−Ｓ３８１２と同様である。【０２９４】
無線端末装置１００は、無線基地局２００により送信された異周波数測定要求を、受信無線部１０２でベースバンド信号に変換する。そして、復調・復号部１０４において、ベースバンド信号に変換された異周波数測定要求を復調し、復号する。そして、復号された異周波数測定要求は、制御信号検出部１０８に入力される。制御信号検出部１０８は、復号された異周波数測定要求から異周波数測定要求信号を抽出し、該異周波数測定要求信号を測定制御部１１０へ入力する。測定制御部１１０は、入力された異周波数測定要求に従って、下り受信制御部１１８及び無線回線品質測定部１０６を制御する。このようにして、無線端末装置１００は、異周波数設定を実施する（ステップＳ３８３６）。例えば、下り受信制御部１１８は、受信無線部１０２における受信周波数の変更を行う。無線回線品質測定部１０６は、受信無線部１０２により変更された受信周波数における無線回線品質を測定する。この異周波数測定の間は、無線端末装置１００は、上りリンクのパイロット信号を送信しない。また、この異周波数測定の間は、無線端末装置１００は、上りリンクのデータを送信しない。【０２９５】
無線端末装置１００において異周波数測定が行われている間は、無線基地局２００は、上りリンク個別制御信号の送信を行わない（ステップＳ３８３８）。【０２９６】
無線端末装置１００は、測定期間を終了する（ステップＳ３８４０）。【０２９７】
無線端末装置１００は、異周波数測定結果を、無線基地局２００に通知する（ステップＳ３８４２）。【０２９８】
無線端末装置１００は、最大再送回数の設定を解除する（ステップＳ３８４４）。【０２９９】
無線基地局２００は、上りリンクの周期割り当て信号を、無線端末装置１００に通知する（ステップＳ３８４６）。【０３００】
無線基地局２００は、上りリンクのパイロット送信周期通知信号を、無線端末装置１００に通知する（ステップＳ３８４８）。【０３０１】
無線端末装置１００におけるパイロット信号送信処理、無線基地局２００における上りリンクの無線回線品質の測定処理及び上りリンクの無線回線品質指標の報告処理を停止することにより、無線基地局２００のスケジューラ２３２は、次の上りリンクの割り当てにおける送信パラメータの選択ができなくなる。そこで、無線基地局２００は、異周波数測定が要求された場合、直近の上りリンクの無線回線品質指標を記憶する。そして、スケジューラ２３２は、異周波数測定が終了するまで、該記憶された上りリンクの無線回線品質指標を利用してスケジューリングを実施する。【０３０２】
また、無線端末装置１００は、上りリンクのパイロット信号の送信を、無線基地局２００からの制御信号で指示されたパイロット送信周期で行う。そこで、上記の上りリンクのパイロット信号の送信の停止によって、無線端末装置１００が有するパイロット送信周期と無線基地局２００が有するパイロット送信周期とが合わなくなる場合がある。そこで、無線基地局２００の測定制御部２２４は、パイロット送信周期をリセットする。そして、測定制御部２２４は、制御信号作成部２２２に、パイロット信号の送信周期のリセット信号を作成するように命令する。制御信号作成部２２２は、測定制御部２２４による命令に従って、パイロット信号の送信周期のリセット信号を生成し、無線端末装置１００に送信する。また、測定制御部２２４は、異周波数測定処理終了後に、パイロット送信周期を再設定する。そして、測定制御部２２４は、制御信号作成部２２２に対して、パイロット送信周期設定信号を作成するように命令する。制御信号作成部２２２は、測定制御部２２４による命令に従って、パイロット送信周期設定信号を生成し、無線端末装置１００に送信する。【０３０３】
以上により、パイロット信号の送信を停止することによる影響を低減できる。【０３０４】
また、上りリンクのデータ伝送は、SC-FDMAなどが適用されたシステムにおいては、システム帯域の一部を使用して伝送が実施される。例えば、システム帯域が複数のサブシステム帯域に分割される場合もある。使用されるサブ帯域は、無線基地局２００のスケジューラ２３２が、上りリンクの無線回線品質指標を用いて選択する。この場合、無線端末装置１００は、無線基地局２００に対してシステム帯域全体に渡ってパイロット信号を送信しなければならない。このパイロット信号はサウンディングパイロットと呼ばれる。なお、前述の上りリンクのパイロット信号は、送信帯域を特定したパイロット信号である。以後、この送信帯域を特定したパイロット信号を、上りリンクのパイロット信号と呼び、サウンディングパイロット信号と区別する。【０３０５】
また、サウンディングパイロット信号を、システム帯域の全帯域に対して一斉に送信する方法と、サブシステム帯域毎に送信する方法とが考えられる。以後、システム帯域の全帯域に対して一斉に送信する方法をサウンディングパイロット一斉送信と呼ぶ。また、サブシステム帯域毎に送信する方法をサウンディングパイロット分割送信と呼ぶ。【０３０６】
サウンディングパイロット分割送信では、サブシステム帯域を時間で切り換えて、サウンディングパイロットが送信される。この方法では、送信帯域を狭帯域とすることができるが、送信時間が一斉送信と比較し長くなる。【０３０７】
サウンディングパイロット一斉送信、サウンディングパイロット分割送信ともに、サウンディングパイロット送信は、異周波数測定可能期間を短縮してしまう。特に、分割送信の場合は、その影響が大きい。【０３０８】
そこで、異周波数測定要求がされた無線端末装置１００は、サウンディングパイロット一斉送信を実施するか、サウンディングパイロット分割送信するかに関わらず、該異周波数測定が終了するまで、無線基地局２００へサウンディングパイロット信号を送信することを停止する。【０３０９】
このようにすることにより、異周波数測定可能期間を伸長させることができる。このため、異周波数測定期間の確保が容易となり、異周波数測定を確実に実施することが可能となる。【０３１０】
無線端末装置１００は、サウンディングパイロットを、通常パイロットと同様に無線基地局２００からの制御信号で指示されたサウンディングパイロット送信周期で送信する。上記のサウンディングパイロットの送信停止によって、無線端末装置１００が有するサウンディングパイロット送信周期と無線基地局２００が有するサウンディングパイロット送信周期とが合わなくなる場合がある。そこで、無線基地局２００の測定制御部２２４は、サウンディングパイロットの送信周期をリセットする。そして、測定制御部２２４は、サウンディングパイロットの送信周期をリセットしたことを示す報告周期のリセット信号を作成するように、制御信号作成部２２２に命令する。制御信号作成部２２２は、測定制御部２２４による命令に従って、サウンディングパイロット送信周期のリセット信号を作成し、無線端末装置１００に通知する。又は、無線端末装置１００における異周波数測定処理終了後に、無線基地局２００はサウンディングパイロット送信周期を再設定する。例えば、スケジューラ２３２は、無線端末装置１００における異周波数測定処理の終了後に、パイロットの送信周期を再設定する。そして、スケジューラ２３２は、再設定されたサウンディングパイロット送信周期が含まれるパイロット送信周期設定信号を作成するように、制御信号作成部２２２に命令する。制御信号作成部２２２は、スケジューラによる命令に従って、パイロット送信周期設定信号を作成し、無線端末装置１００へ通知する。【０３１１】
以上により、サウンディングパイロットの送信を停止する場合に生じる影響を低減できる。【０３１２】
また、サウンディングパイロット分割送信の場合、無線端末装置１００は、現在使用しているサブシステムの帯域に対してのみサウンディングパイロットを送信する。すなわち、無線端末装置１００は、未使用のサブシステム帯域のサウンディングパイロットを送信しない。言い換えれば、無線端末装置１００は、特定の帯域でのみサウンディングパイロットを送信し、他の帯域ではサウンディングパイロットを送信しない。【０３１３】
これにより、分割送信における送信時間を短縮することができる。その結果、異周波数測定期間の短縮量を低減することができる。【０３１４】
また、サウンディングパイロットの一斉送信が行われる場合においても、無線端末装置１００は、現在使用しているサブシステム帯域に対してのみサウンディングパイロットの送信を実施するようにしてもよい。このようにすることにより、異周波数測定期間の短縮量を低減することができる。また、無線端末装置１００における異周波数測定可能期間を伸長させることができる。このため、異周波数測定期間の確保が容易となり、異周波数測定を確実に実施することが可能となる。【０３１５】
なお、この場合、無線基地局２００は、パイロット未送信である他のサブシステム帯域に対する上りリンクの無線回線品質測定を実施できない。このため、無線基地局２００は、上りリンクの無線回線品質指標も算出できない。その結果、上記処理を実施した無線端末装置１００は、スケジューラ２３２により、現在使用していないサブシステム帯域の割り当ては実施されない。よって、異周波数測定が終了するまで、同じサブシステム帯域を用いる。サブシステム帯域の変更がないことから、送受信制御が簡略化され負担が小さくなる。【０３１６】
また、上りリンクのパイロットやサウンディングパイロットは、無線基地局２００において受信される。無線基地局２００は、該受信信号に基づいて、上りリンクの無線回線品質測定処理及び上りリンクの無線回線品質指標算出処理を実施する。ここである無線端末装置１００に対して異周波数測定要求がなされた場合には、上述のように、該無線端末装置１００は、これら２種類パイロットを送信しない。よって、無線基地局２００は、無線端末装置１００からの上述の２種類のパイロットを用いた上りリンクの無線回線品質測定処理及び上りリンクの無線回線品質指標算出処理を実施しない。【０３１７】
また、上りリンクのデータ伝送を実施する際は、無線端末装置１００は、無線基地局２００に対して上りリンクのデータ送信のための割り当てを要求する。以後、上りリンクのデータ送信のための割り当てを要求することを、上りデータ送信の割り当て要求と呼ぶ。しかし、異周波数測定が実施される場合、上りリンクのデータ送信の割り当て要求処理によって異周波数測定期間の確保が厳しいものとなる。【０３１８】
そこで、異周波数測定が要求された無線端末装置１００は、異周波数測定が終了するまで、無線基地局２００に対して、上りリンクのデータ送信の割り当て要求を停止する。これにより、異周波数測定可能期間を伸長させることができる。このため、異周波数測定期間の確保が容易となり、異周波数測定を確実に実施することが可能となる。【０３１９】
また、上りリンクのデータ送信の割り当て要求を停止することで、無線基地局２００には割り当て要求が通知されない。このため、無線基地局２００は、その無線端末装置１００に対して上りリンクのデータ送信の割り当てを行わない。その結果、無線端末装置１００は上りリンクのデータ送信ができなくなる。【０３２０】
これを防止するために、異周波数測定要求がされた無線基地局２００は、無線端末装置１００において、異周波数測定が終了するまで、異周波数測定要求の直前に通知された上りリンクのデータ送信の割り当て要求を記憶する。そしてスケジューラ２２０は、該無線端末装置１００に対して、一定周期で上りリンクの割り当てを実施する。【０３２１】
なお、無線端末装置１００は、上りリンクのデータ送信の割り当て要求に、該無線端末装置１００の送信バッファに蓄積されたデータ量の情報を付加し、無線基地局２００に通知するようにしてもよい。無線基地局２００は、スケジューラ２３２において、上りリンクのデータ送信の割り当て要求に付加されたデータ量に基づいて、一定周期で上りリンクのデータ送信の割り当てを実施する。そして、スケジューラ２３２は、残った上りリンクの送信データ量を算出する。スケジューラ２３２は、上りリンクの送信データがなくなった場合は、上りリンクのデータ送信の割り当てを停止する。【０３２２】
また、異周波数測定が終了した場合、無線端末装置１００は上りリンクのデータ送信の割り当てを無線基地局２００に対して要求するようにしてもよい。【０３２３】
以上により、上りリンクのデータ送信の割り当て要求を停止することにより生じる影響を低減できる。【０３２４】
また、上りリンクのデータ送信の割り当て要求に対して、無線基地局２００は、該割り当てを通知するGrant信号を無線端末装置１００に送信する。しかし、上りリンクのデータ送信の割り当て要求と同様に、異周波数測定を実施する無線端末装置１００は、Grant信号の受信処理により、異周波数測定期間の確保が厳しい場合もある。【０３２５】
そこで、異周波数測定が要求された無線端末装置１００は、異周波数測定が終了するまで、無線基地局２００から送信されるGrant信号の受信処理を停止する。また、無線基地局２００は、異周波数測定を実施する無線端末装置１００に対してGrantの送信処理を停止するようにしてもよい。【０３２６】
これにより、異周波数測定可能期間を伸長させることができる。このため、異周波数測定期間の確保が容易となり、異周波数測定を確実に実施することが可能となる。【０３２７】
しかし、Grant信号の送受信処理を停止することにより、無線端末装置１００は上りリンクのデータの送信パラメータを選択することが不可能となる。その結果、上りリンクのデータの送信処理ができなくなる。【０３２８】
これを防止するために、異周波数測定要求がされた場合、異周波数測定が終了するまで、無線基地局２００は、異周波数測定要求の直前に通知された上りリンクのデータ送信の割り当て要求を記憶する。また、無線基地局２００は、異周波数測定が終了するまで、異周波数測定要求の直前の上りリンクの無線回線品質指標を記憶する。【０３２９】
無線基地局２００は、割り当て要求と上りリンクの無線回線品質指標に基づいて、スケジューラ２２０において、上りリンクのデータ送信のための送信パラメータを選択する。すなわち、異周波数測定終了まで同じ上りリンクのデータ送信の送信パラメータは同一となる。【０３３０】
また、無線端末装置１００も同様に、異周波数測定要求の直前のGrantを記憶する。そして、無線端末装置１００は、該Grantを用いて上りリンクのデータ送信の送信パラメータを選択する。【０３３１】
以上により、Grant信号の受信処理を停止した場合における影響を低減できる。【０３３２】
なお、上述した第１の実施例において説明した異周波数測定期間とデータ送信割り当てが重ならないように、送信割り当てを停止する動作を合わせて実施してもよい。【０３３３】
以上のように、異周波数測定要求がされた場合、異周波数測定が終了するまで、上りリンク又は下りリンクのデータ送信に関連する制御信号の送受信処理を停止する。このようにすることにより、異周波数測定可能期間を伸長させることができる。このため、異周波数測定期間の確保が容易となり、異周波数測定を確実に実施することが可能となる。
（第４の実施例）
本実施例に係る無線通信システムの構成は、図２５を参照して説明した構成と同様である。また、本実施例に係る無線基地局及び無線端末装置の構成は、それぞれ図２８及び図２９を参照して説明した構成と同様である。【０３３４】
本実施例に係る無線通信システムでは、測定周期及び測定タイミングを可変とする処理が行われる。【０３３５】
上述した第１の実施例では、割り当てと異周波数測定期間が衝突する虞がある場合は、割り当てを行わない場合について説明した。例えば、図３９に示すように、無線基地局２００は、下りリンクの割り当てと異周波数測定期間が衝突する虞がある場合は、下りリンクの割り当てを行わない。【０３３６】
本実施例においては、割り当て周期や割り当てタイミングを動的に制御する。このようにすることにより、データ送信割り当てと異周波数測定期間との衝突を回避し、データ伝送と異周波数測定を可能とすることができる。【０３３７】
以下に、その具体例について説明する。【０３３８】
ある無線端末装置１００が異周波数測定を要求される。このとき、無線端末装置１００は、異周波数測定を実施するタイミングを無線基地局２００に通知する。また、無線端末装置１００は、異周波数測定の実施を無線基地局２００に通知する。異周波数測定の実施の通知を受けた無線基地局２００は、異周波数測定タイミング決定し、該決定した異周波数測定タイミングを制御信号として無線端末装置１００に通知するようにしてもよい。【０３３９】
異周波数測定タイミングが決まった場合、無線基地局２００は、測定前の割り当てを時間的に前へ移動するか（前方移動）、又は測定後の割り当てを時間的に後ろへ移動する（後方移動）。又は、無線基地局２００は、測定前の割り当てを時間的に前へ移動し、測定後の割り当てを時間的に後ろへ移動するようにしてもよい。これらの割り当てタイミングの制御は、無線基地局２００において実施される。この場合、無線基地局２００は、割り当てタイミングを無線端末装置１００に通知する。【０３４０】
なお、図４０に示される例では、通常時の３回分の期間Ｔ１とタイミング制御後の期間Ｔ２、Ｔ３及びＴ４の関係を、Ｔ１×３＝Ｔ２＋Ｔ３＋Ｔ４とする。このようにすることにより、異周波数測定終了後に、割り当ての周期を元に戻すことができ、該周期を保持することができる。なお、この式は一例であり、該式以外の式を満たすように割り当てを移動させるようにしてもよい。【０３４１】
以上により、無線端末装置１００における異周波数測定可能期間を伸長させることができる。このため、異周波数測定期間の確保が容易となり、異周波数測定を確実に実施することが可能となる。【０３４２】
なお、無線基地局２００は、ＱｏＳ(Quality  of  Service)に基づいて、割り当てタイミングを移動させるようにしてもよい。ＱｏＳには、伝送するデータの最大送信遅延時間等が含まれる。【０３４３】
また、無線基地局２００は、無線通信端末１００における異周波数測定の終了まで、割り当て周期を通常時と比較して延長するようにしてもよい。例えば、無線基地局２００は、通常の割り当て周期が２０ｍｓｅｃであった場合に、異周波数測定開始から異周波数測定終了までの間の割り当て周期を、通常の割り当て周期を超える期間、例えば３０ｍｓｅｃに変更する。図４１には、異周波数測定の終了まで、割り当て期間を通常時と比較して延長する例が示される。【０３４４】
図４１では、通常時の割り当て期間Ｔ１から期間Ｔ５へと割り当て期間が変更される。そして、異周波数測定が終了した後に、割り当て期間Ｔ５が、期間Ｔ１に変更される。また、異周波数測定が終了した後に、無線基地局２００は、割り当て期間Ｔ１に戻す処理を行わずに、割り当て期間Ｔ５のままとするようにしてもよい。【０３４５】
無線基地局２００は、スケジューラ２２０及び測定制御部２２４において、割り当て周期及び割り当てタイミングを変更する。そして、無線基地局２００は、無線端末装置１００に向けて割り当て周期変更通知信号を伝送する。このようにすることにより、割り当て周期が変更されたことを無線端末装置１００に通知できる。
（第５の実施例）
本実施例に係る無線通信システムの構成は、図２５を参照して説明した構成と同様である。また、本実施例に係る無線基地局は、図２８及び図３６を参照して説明した無線基地局の機能を有する。また、本実施例に係る無線端末装置は、図２９及び図３７を参照して説明した無線端末装置の機能を有する。【０３４６】
本実施例に係る無線通信システムでは、上りリンクにおけるスケジューリングと下りリンクにおけるスケジューリングとの連携をとる。【０３４７】
上述した実施例においては、一例として、上りリンクのデータ伝送又は下りリンクのデータ伝送の一方のみが実施される場合について説明した。しかし、セミパーティスタントスケジューリングは、上りリンクのデータ伝送と下りリンクのデータ伝送に対して同時に適用される。【０３４８】
従って、上りリンクのデータ伝送の周期及びタイミングと下りリンクのデータ伝送の周期及びタイミングによっては、異周波数測定可能期間が短縮されたり消失したりする場合がある。このような場合には、異周波数測定が実施できない。図４２には、下りリンクのデータが衝突する場合を示す。また、図４３には、異周波数測定可能期間（測定期間）が長く取れる場合を示す。また、図４４には、異周波数測定可能期間が短縮される場合を示す。【０３４９】
そこで、本実施例に係る無線基地局２００では、上りリンクにおけるスケジューリングと下りリンクにおけるスケジューリングとの間で、スケジューリングに用いた情報やスケジューリング結果を共有する。すなわち、一方が他方のスケジューリング状況を考慮し、スケジューリングを実施する。【０３５０】
以下、上りリンクの送信割り当て周期と下りリンクの送信割り当て周期とが同じである場合について説明する。【０３５１】
図４５に示されるように、上りリンクの送信割り当てのタイミングと下りリンクの送信割り当てタイミングとが異なっている場合、異周波数測定可能期間が短縮する。その結果、異周波数測定を実施できない。【０３５２】
そこで、本実施例に係る無線基地局２００では、異周波数測定要求がされた場合、該異周波数測定が終了するまで、異周波数測定期間が確保できるように上りリンク送信割り当てタイミングと下りリンク送信割り当てタイミングとを調整し、スケジューリングを実施する。【０３５３】
以下、具体的に説明する。【０３５４】
ある無線端末装置１００が、異周波数測定を要求される。この異周波数測定要求を通知した無線基地局２００は、スケジューラ２３２において、無線回線品質指標に基づいて、異周波数測定が終了するまで、一定周期で上りリンクのデータ伝送の割り当てを行う。また、スケジューラ２３２は、その初回の上りリンクの送信タイミングを決定する。【０３５５】
また、スケジューラ２３２は、下りリンクのスケジューリングを行うスケジューラ２２０に対して、初回の上りリンクの送信タイミングを通知する。通知を受けたスケジューラ２２０は、図４６に示すように、異周波数測定期間が拡張するようなタイミングで下りリンクの送信タイミングを選択する。【０３５６】
また、例えば、図４７−図５０に示すように、上りリンクの送信タイミングと下りリンクの送信タイミングとを一致させるようにしてもよい。【０３５７】
本実施例では、上りリンクのスケジューリングを行うスケジューラ２３２と下りリンクのスケジューリングを行うスケジューラ２２０とが情報交換を行う。このようにすることにより、上りリンクのデータ送信及び下りリンクのデータ送信に関連する制御信号の送受信処理に基づいて、上りリンクのスケジューラ２３２による上りリンクのデータの送信タイミングの選択と下りリンクのスケジューラ２２０による下りリンクのデータの送信タイミングの選択とを実施する。【０３５８】
以上により、無線端末装置１００における異周波数測定可能期間を伸長させることができる。そのため、異周波数測定期間の確保が容易となり、異周波数測定を確実に実施することが可能となる。【０３５９】
なお、ダイナミックスケジューリングを用いる場合やパーティスタントスケジューリングを用いる場合においても、異周波数測定期間が確保できるように上りリンク送信割り当てタイミングと下りリンク送信割り当てタイミングとを調整し、スケジューリングを実施することも可能である。【０３６０】
また、上述した第２の実施例と同様に、再送が実施されると、図４９に示すように、異周波数測定可能期間が短縮される。この場合、第２の実施例と同様に、最大送信回数を設定してもよい。【０３６１】
また、上述した第２の実施例と同様に、図５０に示すように、データ伝送に関する制御情報及び制御信号の送受信によっても、異周波数測定可能時間が短縮される。この場合、第３の実施例と同様に、制御情報及び制御信号の送受信を停止してもよい。【０３６２】
なお、上述した第１の実施例において説明した異周波数測定期間とデータ送信割り当てが重ならないように、送信割り当てを停止する動作を合わせて実施してもよい。
（第６の実施例）
本実施例に係る無線通信システムの構成は、図２５を参照して説明した構成と同様である。【０３６３】
上述した第１の実施例では、異周波数測定期間と下りリンクのデータ送信割り当てとが重ならないよう周期的な割り当てを停止する場合について説明した。【０３６４】
本実施例では、無線端末装置１００は、異周波数測定用の受信系を有する。このようにすることにより、異周波数測定期間と下り送信割り当てとが重なった場合でも、異周波数測定を実施できる。更に、この異周波数測定用の受信系に、他のシステムの無線回線品質を測定する機能を有するようにしてもよい。【０３６５】
本実施例に係る無線端末装置１００は、図５１に示すように、図２９を参照して説明した無線端末装置に、異周波数測定部１３８を有する。異周波数測定部１３８は、異周波数測定を行う。異周波数測定部１３８は異周波数測定の測定結果を無線回線品質情報作成部１３０に入力する。【０３６６】
異周波数測定部１３８は、受信無線部１３２を有する。受信無線部１３２は、設定された受信周波数に従って、下りリンクの信号を受信する。受信無線部１３２は、受信した下りリンクの信号を復調・復号部１３４に入力する。【０３６７】
異周波数測定部１３８は、復調・復号部１３４を有する。復調・復号部１３４は、受信無線部１３２により入力された下りリンクの信号の復調処理及び復号処理を行う。復調・復号部１３４は、復号処理が行われた下りリンクの信号を無線回線品質測定部１３６に入力する。無線回線品質測定部１３６は、復調・復号部１３４により入力された復号処理が行われた下りリンクの信号に基づいて、無線回線品質の測定を行う。無線回線品質測定部１３６は、無線回線品質の測定結果を無線回線品質情報作成部１３０に入力する。【０３６８】
このようにすることにより、他のシステムが、自システムと、多元接続方式や変調方式（又は復調方法）及び符号化方式（又は復号方法）が異なっていても、該異なるシステムの無線回線品質測定が可能となる。
（第７の実施例）
本実施例に係る無線通信システムの構成は、図２５を参照して説明した構成と同様である。また、本実施例に係る無線基地局及び無線端末装置の構成は、それぞれ図２８及び図２９を参照して説明した構成と同様である。【０３６９】
本実施例に係る無線通信システムは、割り当てと測定とが衝突する場合に、割り当てを選択する。すなわち、衝突する場合には、無線端末装置１００は、異周波測定を行わない。【０３７０】
上述した第１の実施例では、異周波数測定期間と下りリンクのデータ送信の割り当てとが重ならないように、無線基地局２００は、無線端末装置１００に対して、周期的な無線リソースの割り当てを停止した。【０３７１】
本実施例では、異周波数測定期間と下りリンクの送信割り当て又は上りリンクの送信割り当てとが重なった場合、図５２に示すように、無線端末装置１００は、下りリンクの受信又は上りリンクの送信を実施する。すなわち、異周波数測定期間と下りリンクの送信割り当て又は上りリンクの送信割り当てとが重なった場合に、無線端末装置１００は、異周波数測定を実施しない。【０３７２】
このようにすることにより、確実な上りリンク及び／又は下りリンクのデータ送受信処理が可能となる。
（第８の実施例）
本実施例に係る無線通信システムの構成は、図２５を参照して説明した構成と同様である。また、本実施例に係る無線基地局及び無線端末装置の構成は、それぞれ図２８及び図２９を参照して説明した構成と同様である。【０３７３】
本実施例に係る無線通信システムでは、測定結果を報告する期限が考慮される。【０３７４】
本実施例では、上述した第１−第７の実施例において、無線端末装置１００には、異周波数測定が要求され、更に、異周波数測定結果の報告期限が通知される。この場合、無線基地局２００は、割り当ての停止、割り当て周期の制御、割り当てタイミングの可変及び上りリンク及び／又は下りリンクのデータ送信に関連する制御信号の送受信などの処理の停止のうち、少なくとも１つを、通知された報告期限に間に合うように実施する。【０３７５】
また、本実施例では、上述した第７の実施例と同様に、割り当てと異周波数測定とが衝突した場合、異周波数測定の実施が停止されるようにしてもよい。【０３７６】
本実施例によれば、異周波数測定を実施し、かつ測定結果報告を期限までに実施できる。
（第９の実施例）
本実施例に係る無線通信システムの構成は、図２５を参照して説明した構成と同様である。また、本実施例に係る無線基地局及び無線端末装置の構成は、それぞれ図２８及び図２９を参照して説明した構成と同様である。【０３７７】
本実施例に係る無線通信システムでは、上述した異周波数測定を同一周波数測定へ適用したものである。【０３７８】
上述した第１−第８の実施例においては、測定時間が長い異周波数測定を例として説明した。しかし、第１−第８の実施例は、隣接セルの同一の周波数に対しても適用可能である。【０３７９】
同一の周波数に対する測定により、第１−第８の実施例と同様に、同一周波数測定可能期間を伸長させることができる。このため、同一周波数測定期間の確保が容易となり、同一周波数測定を確実に実施することが可能となる。
（第１０の実施例）
本実施例に係る無線通信システムの構成は、図２５を参照して説明した構成と同様である。また、本実施例に係る無線基地局及び無線端末装置の構成は、それぞれ図２８及び図２９を参照して説明した構成と同様である。【０３８０】
上述した第１の実施例では、測定に必要とされる時間を確保するために、パーティスタントスケジューリングにより、無線リソースが周期的に割り当てられた場合に、無線基地局２００は該割り当てと異周波数測定とが衝突しないように、割り当てを制御する場合について説明した。【０３８１】
本実施例では、異周波数測定を実施することになった場合、パーティスタントスケジューリングを停止し、ダイナミックスケジューリングを適用する。【０３８２】
無線基地局２００は、無線品質の劣化や異周波数測定周期に基づいて、無線端末装置１００に異周波数測定を実施させるか否かを判定する。無線端末装置１００に異周波数測定を実施させる場合、無線基地局２００は、スケジューラ２２０に対して、該無線端末装置１００に対して、異周波数測定を実施することを通知するように命令する。また、スケジューラ２２０は、測定制御部２２４に対して、異周波数測定の実施の対象となる無線端末装置１００の情報を通知する。測定制御部２２４は、スケジューラ２２０及び２３２に対して、異周波数測定が実施されることを通知する。スケジューラ２２０及び２３２は、測定制御部２２４による通知に基づいて、パーティスタントスケジューリングを実施していた該無線端末装置１００に対してダイナミックスケジューリングを適用することを通知する。【０３８３】
以下、一例として、上りリンクのデータ送信について説明する。下りリンクのデータ送信にも適用できる。【０３８４】
スケジューラ２３２は、無線端末装置１００に対して、伝送データの属性に基づいて、かつ異周波数測定時間の確保ができるようにスケジューリングを行う。【０３８５】
そして、スケジューラ２３２は、無線端末装置１００に対して、送信タイミング、送信方法を制御情報として通知する。ここで、伝送データの属性には、最大送信遅延時間などの情報が含まれるようにしてもよい。【０３８６】
無線基地局２００により送信された制御情報を受信した無線端末装置１００は、該送信制御情報に従って、上りリンクのデータの送信を実施する。【０３８７】
上述した実施例によれば、周期的な割り当てと異周波数測定が重なった（衝突した）場合は、無線基地局２００は、該無線端末装置１００に対して、割り当てを行わない。【０３８８】
また、無線端末装置１００は、異周波数測定を、割り当てられなかった次の割り当て周期で実施してもよい。また、無線端末装置１００は、異周波数測定を、データ伝送終了後から次の割り当て周期において、実施してもよい。このように、異周波数測定可能期間を伸長することにより、異周波数測定を可能とする。【０３８９】
また、異周波数測定可能期間を伸長するために、データ伝送に際して必要となる制御情報及び制御信号の送受信を停止する。【０３９０】
また、上りリンクの伝送の割り当てと下りリンクの伝送の割り当てを実施する際に、上りスケジューラと下りスケジューラが連携し、割り当て周期や割り当てタイミングを制御することで、異周波数測定可能期間を伸長する。【０３９１】
また、無線チャネルの割り当てと異周波数測定が重ならないように制御できる。【０３９２】
以上により、異周波数測定の時間を確保することができる。また、割り当てと異周波数測定との衝突を防ぐことができる。【０３９３】
また、無線チャネルの割り当てと異周波数測定が重なった場合、異周波数測定を実施せず通信を継続することができる。このため、無線チャネルの割り当てと異周波数測定の両者を実施しなくてもよい。【０３９４】
また、異周波数測定用の受信系を有することにより、無線チャネルの割り当てによる通信を実施し、かつ異周波数測定を同時に実施することができる。
【図１】
2009113150.tif 000003
【図２】
2009113150.tif 000004
【図３】
2009113150.tif 000005
【図４】
2009113150.tif 000006
【図５】
2009113150.tif 000007
【図６】
2009113150.tif 000008
【図７】
2009113150.tif 000009
【図８】
2009113150.tif 000010
【図９】
2009113150.tif 000011
【図１０】
2009113150.tif 000012
【図１１】
2009113150.tif 000013
【図１２】
2009113150.tif 000014
【図１３】
2009113150.tif 000015
【図１４】
2009113150.tif 000016
【図１５】
2009113150.tif 000017
【図１６】
2009113150.tif 000018
【図１７】
2009113150.tif 000019
【図１８】
2009113150.tif 000020
【図１９】
2009113150.tif 000021
【図２０】
2009113150.tif 000022
【図２１】
2009113150.tif 000023
【図２２】
2009113150.tif 000024
【図２３】
2009113150.tif 000025
【図２４】
2009113150.tif 000026
【図２５】
2009113150.tif 000027
【図２６】
2009113150.tif 000028
【図２７】
2009113150.tif 000029
【図２８】
2009113150.tif 000030
【図２９】
2009113150.tif 000031
【図３０】
2009113150.tif 000032
【図３１】
2009113150.tif 000033
【図３２】
2009113150.tif 000034
【図３３】
2009113150.tif 000035
【図３４】
2009113150.tif 000036
【図３５】
2009113150.tif 000037
【図３６】
2009113150.tif 000038
【図３７】
2009113150.tif 000039
【図３８】
2009113150.tif 000040
【図３９】
2009113150.tif 000041
【図４０】
2009113150.tif 000042
【図４１】
2009113150.tif 000043
【図４２】
2009113150.tif 000044
【図４３】
2009113150.tif 000045
【図４４】
2009113150.tif 000046
【図４５】
2009113150.tif 000047
【図４６】
2009113150.tif 000048
【図４７】
2009113150.tif 000049
【図４８】
2009113150.tif 000050
【図４９】
2009113150.tif 000051
【図５０】
2009113150.tif 000052
【図５１】
2009113150.tif 000053
【図５２】
2009113150.tif 000054
【図５３】
2009113150.tif 000055
【手続補正書】
【提出日】平成22年5月13日(2010.5.13)
【手続補正１】
【補正対象書類名】特許請求の範囲
【補正対象項目名】全文
【補正方法】変更
【補正の内容】
【特許請求の範囲】
【請求項１】
無線端末装置に対して、一定周期で、共有チャネルを割り当てるスケジューラと、
前記無線端末装置が異周波数測定を行う期間を検出する検出手段と
を有し、
前記スケジューラは、前記無線端末装置が異周波数測定を行う期間と重複しないように、前記無線端末装置に対して無線リソースを割り当てる無線基地局。
【請求項２】
請求項１に記載の無線基地局において、
前記スケジューラは、前記無線端末装置が異周波数測定を行う期間と、無線リソースを割り当てる周期とが重複する場合、該無線リソースを割り当てない無線基地局。
【請求項３】
請求項２に記載の無線基地局において、
前記スケジューラは、前記無線リソースを割り当てない周期において送信する予定であったデータを、前記無線リソースを割り当てない周期の次の周期で送信するように無線リソースを割り当てる無線基地局。
【請求項４】
請求項１に記載の無線基地局において、
前記スケジューラは、前記無線端末装置が異周波数測定を行う期間と、無線リソースを割り当てる周期とが重複する場合、前記異周波数測定を行う期間と重複する無線リソースを割り当てる周期の前の周期及び／又は後の周期における無線リソースを割り当てるタイミングを変更する無線基地局。
【請求項５】
請求項１に記載の無線基地局において、
下りリンクのデータの再送制御を行う下りリンク再送制御手段
を有し、
前記下りリンク再送制御手段は、再送の回数を、前記異周波数測定を実施する期間を確保できる回数に制限する無線基地局。
【請求項６】
無線回線品質又は送信データ量に基づいて、無線端末装置を選択する選択手段と、
前記無線端末装置が異周波数測定を行う期間を設定する設定手段と、
該選択された無線端末装置に対して、一定周期で、共有チャネルを割り当てるスケジューラと、
下りリンクのデータの再送制御を行い、再送回数を制限する下りリンク再送制御手段と
を有し、
異周波数測定期間において、該下りリンク再送制御手段によって設定された再送回数の制限値とは異なる再送回数の制限値を設定する無線基地局。
【請求項７】
請求項１に記載の無線基地局において、
上りリンクのデータに対する送達確認情報を生成する送達確認情報生成手段と、
前記送達確認情報生成手段により生成された送達確認情報を、前記上りリンクのデータを送信した無線端末装置に送信する送達確認情報送信手段と
を有し、
送達確認情報送信手段は、前記無線端末装置が異周波数測定を実施している場合には、前記上りリンクのデータに対する送達確認情報を送信しない無線基地局。
【請求項８】
請求項１に記載の無線基地局において、
前記スケジューラは、前記無線端末装置が異周波数測定を実施できるように、上りリンクのデータの送信タイミングと、下りリンクのデータ送信タイミングとを決定する無線基地局。
【請求項９】
異周波数測定を要求する異周波数測定要求手段と、
前記異周波数測定の要求に対する応答に従って、異周波数測定を行う異周波数測定制御手段と
を有し、
無線基地局は、異周波数測定を行う期間と重複しないように、無線リソースを割り当てる無線端末装置。
【請求項１０】
請求項９に記載の無線端末装置において、
上りリンクのデータの再送制御を行う上りリンク再送制御手段
を有し、
前記上りリンク再送制御手段は、再送の回数を、前記異周波数測定を実施する期間を確保できる回数に制限する無線端末装置。
【請求項１１】
無線基地局は、無線回線品質に基づいて、通信を実施する無線端末装置を選択し、
前記無線基地局は、該選択された無線端末装置に対して、一定周期で、共有チャネルを割り当て、
前記無線基地局が、前記無線端末装置が異周波数測定を行う期間を検出し、
前記無線基地局が、前記無線端末装置が異周波数測定を行う期間と重複しないように、前記無線端末装置に対して無線リソースを割り当てる方法。
【請求項１２】
無線基地局と無線端末装置で構成される無線通信システムにおいて、
無線端末装置は、異周波数測定を要求する異周波数測定要求手段と、
異周波数測定手段と
を有し、
無線基地局は、前記無線端末装置からの異周波数測定要求を受信する受信手段と、
前記無線端末装置が異周波数測定を行う期間と重複しないように、前記無線端末装置に対して無線リソースを割り当てるスケジューラと、
該異周波数測定期間を前記無線端末装置に通知する異周波数測定期間通知手段と
を有し、
前記無線端末装置は、該異周波数測定期間に従い異周波数測定を行うことを特徴とする無線通信システム。
【請求項１３】
無線回線品質または送信データ量に基づいて、無線端末装置を選択する無線通信システムにおいて、
無線端末装置において異周波数測定を行う期間を検出する検出手段と、
無線基地局に対して異周波数測定実施を通知する通知手段と
を備え、
該無線基地局において該選択された無線端末装置に対して、一定周期で共有チャネルを割り当てるスケジューラ
を備え、
該異周波数測定通知を受信した場合、前記スケジューラは、前記無線端末装置が異周波数測定を行う期間と重複しないように、該無線端末装置に対して無線リソースを割り当て、該無線端末装置に通知する無線通信システム。
【請求項１４】
無線回線品質または送信データ量に基づいて、無線端末装置を選択する無線通信システムにおいて、
無線基地局と通信中の無線端末装置が異周波数測定を行う期間を検出する検出手段と、
前記無線端末装置に対して、一定周期で共有チャネルを割り当てるスケジューラと
を備え、
該異周波数測定通知を受信した場合、前記スケジューラは、前記無線端末装置が異周波数測定を行う期間と重複しないように、該無線端末装置に対して無線リソースを割り当て、無線端末装置に通知する通知手段
を有し、
通知を受けた無線端末装置は、異周波数測定を実施することを特徴とする無線通信システム。
【国際調査報告】
2009113150.tif 000056
2009113150.tif 000057
2009113150.tif 000058